(57)【要約】【課題】放電灯の個体差によらず、放電灯の寿命を向上できる放電灯駆動装置を提供する。【解決手段】本発明の放電灯駆動装置の一つの態様は、第１電極および第２電極を有する放電灯に駆動電流を供給する放電灯駆動部と、放電灯駆動部を制御する制御部と、駆動電流の複数の駆動パターンを格納する記憶部と、放電灯の電極間電圧を検出する電圧検出部と、を備え、制御部は、機械学習に基づいて、複数の駆動パターンのうちいずれか１つの駆動パターンを選択し、選択された駆動パターンを実行し、制御部は、電極間電圧が第１電圧値以上で、かつ、第１電圧値よりも大きい第２電圧値以下の場合、放電灯に供給される駆動電力が電極間電圧の増加に応じて増加する第１制御を実行することを特徴とする。【選択図】図１２
2019114433.tif 000002
【特許請求の範囲】
【請求項１】
第１電極および第２電極を有する放電灯に駆動電流を供給する放電灯駆動部と、
前記放電灯駆動部を制御する制御部と、
前記駆動電流の複数の駆動パターンを格納する記憶部と、
前記放電灯の電極間電圧を検出する電圧検出部と、
を備え、
前記制御部は、機械学習に基づいて、前記複数の駆動パターンのうちいずれか１つの駆動パターンを選択し、選択された前記駆動パターンを実行し、
前記制御部は、前記電極間電圧が第１電圧値以上で、かつ、前記第１電圧値よりも大きい第２電圧値以下の場合、前記放電灯に供給される駆動電力が前記電極間電圧の増加に応じて増加する第１制御を実行することを特徴とする放電灯駆動装置。
【請求項２】
前記制御部は、前記第１制御において、電流値が一定となる前記駆動電流を前記放電灯に供給する、請求項１に記載の放電灯駆動装置。
【請求項３】
前記制御部は、前記電極間電圧が前記第１電圧値よりも小さい場合、前記電極間電圧の値によらず前記駆動電力を第１所定電力範囲に維持する第２制御を実行する、請求項１または２に記載の放電灯駆動装置。
【請求項４】
前記制御部は、
前記第１制御において、前記電極間電圧が前記第１電圧値である場合、前記放電灯に供給される前記駆動電力を所定電力値とし、かつ、
前記第２制御において、前記放電灯に供給される前記駆動電力を前記所定電力値に維持する、請求項３に記載の放電灯駆動装置。
【請求項５】
前記第１電圧値は、前記放電灯の初期における電極間電圧の値である、請求項１から４のいずれか一項に記載の放電灯駆動装置。
【請求項６】
前記第１電圧値は、前記放電灯の初期における電極間電圧の値よりも大きい値である、請求項１から４のいずれか一項に記載の放電灯駆動装置。
【請求項７】
前記制御部は、前記電極間電圧が前記第２電圧値よりも大きい場合、前記電極間電圧の値によらず前記駆動電力を第２所定電力範囲に維持する第３制御を実行する、請求項１から６のいずれか一項に記載の放電灯駆動装置。
【請求項８】
前記制御部は、
前記第１制御において、前記電極間電圧が前記第２電圧値である場合、前記放電灯に供給される前記駆動電力を前記放電灯の定格電力値まで増加させ、かつ、
前記第３制御において、前記放電灯に供給される前記駆動電力を前記定格電力値に維持する、請求項７に記載の放電灯駆動装置。
【請求項９】
前記第１電極の先端および前記第２電極の先端には、それぞれ突起が形成されており、
前記制御部は、前記突起の移動が検出された場合に、前記駆動電力を増加させる、請求項１から８のいずれか一項に記載の放電灯駆動装置。
【請求項１０】
前記放電灯から射出される光の光軸を挟んで配置される第１検出部および第２検出部をさらに備え、
前記第１検出部および前記第２検出部は、温度と照度とのうちの少なくとも一方を検出し、
前記制御部は、前記第１検出部の検出結果と前記第２検出部の検出結果とに基づいて、前記突起の移動を検出し、前記駆動電力を増加させる、請求項９に記載の放電灯駆動装置。
【請求項１１】
前記第１検出部および前記第２検出部は、温度を検出し、
前記制御部は、前記第１検出部によって検出された温度と前記第２検出部によって検出された温度との差が変化した場合に、前記突起の移動を検出し、前記駆動電力を増加させる、請求項１０に記載の放電灯駆動装置。
【請求項１２】
前記第１検出部および前記第２検出部は、照度を検出し、
前記制御部は、前記第１検出部によって検出された照度と前記第２検出部によって検出された照度との差が変化した場合に、前記突起の移動を検出し、前記駆動電力を増加させる、請求項１０または１１に記載の放電灯駆動装置。
【請求項１３】
光を射出する放電灯と、
請求項１から１２のいずれか一項に記載の放電灯駆動装置と、
を備えることを特徴とする光源装置。
【請求項１４】
請求項１３に記載の光源装置と、
前記光源装置から射出される光を画像信号に応じて変調する光変調装置と、
前記光変調装置により変調された光を投射する投射光学系と、
を備えることを特徴とするプロジェクター。
【請求項１５】
前記光変調装置の光入射側に配置される偏光素子と、
前記偏光素子を保持する保持フレームと、
前記放電灯から射出され前記偏光素子に入射する光の光軸を挟んで配置される第１検出部および第２検出部と、
をさらに備え、
前記第１検出部および前記第２検出部は、温度と照度とのうちの少なくとも一方を検出し、かつ、前記保持フレームにおいて前記偏光素子の光入射側と同じ側に配置され、
前記制御部は、前記第１検出部の検出結果と前記第２検出部の検出結果とに基づいて、前記駆動電力を増加させる、請求項１４に記載のプロジェクター。
【請求項１６】
第１電極および第２電極を有する放電灯に駆動電流を供給して、前記放電灯を駆動する放電灯駆動方法であって、
機械学習に基づいて、前記駆動電流の複数の駆動パターンのうちいずれか１つの駆動パターンを選択し、選択された駆動パターンを実行し、
前記放電灯の電極間電圧が第１電圧値以上で、かつ、前記第１電圧値よりも大きい第２電圧値以下の場合、前記放電灯に供給される駆動電力が前記電極間電圧の増加に応じて増加する第１制御を実行することを特徴とする放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
例えば、特許文献１に示すように、放電ランプに印加される印加電圧の値に応じて放電ランプに供給される交流電流のパルスを変化させる放電ランプ点灯装置が知られている。
【先行技術文献】
【特許文献】
【０００３】
【特許文献１】特開２０１６−０１８７４６号公報
【発明の概要】
【発明が解決しようとする課題】
【０００４】
しかし、放電ランプ（放電灯）には個体差があり、放電ランプに印加される印加電圧（電極間電圧）の変化は放電ランプの個体ごとに異なる。そのため、放電ランプの個体差を考慮できない駆動方法によっては、放電ランプの寿命を十分に向上できない場合があった。
【０００５】
本発明の一つの態様は、上記事情に鑑みて、放電灯の個体差によらず、放電灯の寿命を向上できる放電灯駆動装置、そのような放電灯駆動装置を備えた光源装置、およびそのような光源装置を備えたプロジェクターを提供することを目的の一つとする。また、本発明の一つの態様は、放電灯の個体差によらず、放電灯の寿命を向上できる放電灯駆動方法を提供することを目的の一つとする。
【課題を解決するための手段】
【０００６】
本発明の放電灯駆動装置の一つの態様は、第１電極および第２電極を有する放電灯に駆動電流を供給する放電灯駆動部と、前記放電灯駆動部を制御する制御部と、前記駆動電流の複数の駆動パターンを格納する記憶部と、前記放電灯の電極間電圧を検出する電圧検出部と、を備え、前記制御部は、機械学習に基づいて、前記複数の駆動パターンのうちいずれか１つの駆動パターンを選択し、選択された前記駆動パターンを実行し、前記制御部は、前記電極間電圧が第１電圧値以上で、かつ、前記第１電圧値よりも大きい第２電圧値以下の場合、前記放電灯に供給される駆動電力が前記電極間電圧の増加に応じて増加する第１制御を実行することを特徴とする。
【０００７】
本発明の放電灯駆動装置の一つの態様によれば、制御部は、機械学習に基づいて、複数の駆動パターンのうちからいずれか１つの駆動パターンを選択して、選択した駆動パターンを実行する。そのため、放電灯に個体差がある場合であっても、機械学習を行うことで、放電灯の個体差に応じて、好適な駆動パターンを選択することができる。したがって、本発明の放電灯駆動装置の一つの態様によれば、放電灯の個体差によらず、放電灯の寿命を向上させることができる。
【０００８】
また、機械学習に基づいて駆動パターンが選択されるため、放電灯に供給される駆動電力を変化させた場合であっても、駆動電力の変化に応じて、好適な駆動パターンを選択することができる。これにより、放電灯に供給される駆動電力を容易に多段階で変化させることが可能となる。また、駆動電力を任意に変更することが可能となるため、放電灯の寿命を向上させる際に変化させる駆動パターンの駆動パラメーターの一つとして、駆動電力を用いることも可能となる。これにより、放電灯の寿命をより向上させることができる。また、第１制御のように、電極間電圧の変動に応じて駆動電力を変化させる制御を実行した場合であっても、放電灯の寿命が低下することを抑制できる。
【０００９】
また、本発明の放電灯駆動装置の一つの態様によれば、第１制御においては、放電灯に供給される駆動電力が電極間電圧の増加に応じて増加する。そのため、電極間電圧が増加した場合に、駆動電力を増加させて、放電灯に供給される駆動電流を増加させることができる。これにより、第１制御を実行している間、累積点灯時間が増加しても、放電灯の照度維持率が低下することを抑制できる。すなわち、第１制御が実行されている間、放電灯の照度（明るさ）を一定に維持することができる。したがって、放電灯の使用者に、初回の放電灯の使用から一定の明るさを提供することができる。さらに、放電灯の照度維持率が比較的高い状態で使用する期間を長くしやすく、使用者の快適性を向上できる。
【００１０】
また、本発明の放電灯駆動装置の一つの態様によれば、第１制御によって電極間電圧が変動した場合であっても駆動電流の値が低下することを抑制できるため、第１電極および第２電極に加えられる熱負荷が低下することを抑制できる。したがって、第１電極および第２電極に十分な熱負荷を加えやすく、突起を成長させやすい。その結果、放電灯の寿命を向上させることができる。また、上述したように、このように電極間電圧の変動に基づいて駆動電力を変化させても、機械学習を用いることで、放電灯の寿命が低下することを抑制できる。
【００１１】
前記制御部は、前記第１制御において、電流値が一定となる前記駆動電流を前記放電灯に供給する構成としてもよい。
この構成によれば、第１制御が実行されている期間において、放電灯の照度維持率を一定に維持しやすい。これにより、累積点灯時間が増加しても、放電灯の照度維持率が低下することをより抑制でき、使用者の快適性をより向上できる。
【００１２】
前記制御部は、前記電極間電圧が前記第１電圧値よりも小さい場合、前記電極間電圧の値によらず前記駆動電力を第１所定電力範囲に維持する第２制御を実行する構成としてもよい。
この構成によれば、電極間電圧が第１電圧値よりも小さい場合に、駆動電力が小さくなることを抑制でき、放電空間内の温度が低下することを抑制できる。これにより、放電灯の照度が低下することを抑制できる。また一方で、電極間電圧が第１電圧値よりも小さい場合には、駆動電力を一定の範囲に維持しても照度低下が生じにくい。したがって、この構成によれば、放電灯の照度維持率が低下することをより抑制でき、使用者の快適性をより向上できる。
【００１３】
前記制御部は、前記第１制御において、前記電極間電圧が前記第１電圧値である場合、前記放電灯に供給される前記駆動電力を所定電力値とし、かつ、前記第２制御において、前記放電灯に供給される前記駆動電力を前記所定電力値に維持する構成としてもよい。
この構成によれば、電極間電圧が第１電圧値の近傍の値である場合には、第２制御における放電灯の照度は、第１制御における放電灯の照度と同程度となる。ここで、電極間電圧が第１電圧値よりも小さくなる場合、電極間電圧の値は、第１電圧値の近傍となりやすい。そのため、第１制御と第２制御とを切り換えることで、第１制御または第２制御が実行されている間は放電灯の照度が略一定に維持され、使用者の快適性が低下することを抑制できる。すなわち、第１制御と第２制御との間で切り換えることで、第１制御または第２制御が実行されている間、放電灯の照度を略一定に維持することができる。
【００１４】
前記第１電圧値は、前記放電灯の初期における電極間電圧の値である構成としてもよい。
この構成によれば、放電灯の使用を開始した初期から放電灯の照度を一定に維持することができ、使用者の快適性をより向上できる。
【００１５】
前記第１電圧値は、前記放電灯の初期における電極間電圧の値よりも大きい値である構成としてもよい。
この構成によれば、放電灯の初期よりも後の期間（例えば、末期）において放電灯に供給される駆動電力を大きくできる。したがって、例えば、放電灯の末期において、放電灯の照度を比較的維持することができ、使用者の快適性を向上できる。
【００１６】
前記制御部は、前記電極間電圧が前記第２電圧値よりも大きい場合、前記電極間電圧の値によらず前記駆動電力を第２所定電力範囲に維持する第３制御を実行する構成としてもよい。
この構成によれば、放電灯に供給される駆動電力が過剰に大きくなることを抑制でき、放電灯の寿命が低下することを抑制できる。
【００１７】
前記制御部は、前記第１制御において、前記電極間電圧が前記第２電圧値である場合、前記放電灯に供給される前記駆動電力を前記放電灯の定格電力値まで増加させ、かつ、前記第３制御において、前記放電灯に供給される前記駆動電力を前記定格電力値に維持する構成としてもよい。
この構成によれば、電極間電圧が第２電圧値の近傍の値である場合には、第３制御における放電灯の照度は、第１制御における放電灯の照度と同程度となる。これにより、第１制御から第３制御に切り換わった際に、放電灯の照度が急激に変化することを抑制でき、使用者の快適性が低下することを抑制できる。また、維持される駆動電力が定格電力値であるため、放電灯に加えられる駆動電力の値を好適に維持することができ、放電灯の寿命が低下することを抑制できる。
【００１８】
前記第１電極の先端および前記第２電極の先端には、それぞれ突起が形成されており、前記制御部は、前記突起の移動が検出された場合に、前記駆動電力を増加させる構成としてもよい。
この構成によれば、突起の移動が生じた場合に、突起を元の位置に戻しやすいため、突起の移動に起因する電極間電圧の変化を元に戻しやすい。したがって、機械学習において電極間電圧の変化のみに基づいて駆動パターンの評価を行う場合であっても、駆動パターンを適切に評価しやすい。その結果、放電灯の寿命をより向上できる。
【００１９】
前記放電灯から射出される光の光軸を挟んで配置される第１検出部および第２検出部をさらに備え、前記第１検出部および前記第２検出部は、温度と照度とのうちの少なくとも一方を検出し、前記制御部は、前記第１検出部の検出結果と前記第２検出部の検出結果とに基づいて、前記突起の移動を検出し、前記駆動電力を増加させる構成としてもよい。
この構成によれば、第１電極および第２電極に加えられる熱負荷を大きくすることができ、突起の溶融範囲および溶融量を増加させることができる。したがって、溶融した突起が再形成される際に、突起を正常な位置に戻しやすい。以上により、この構成によれば、突起の移動が生じた場合に、突起を元の位置に戻しやすいため、突起の移動に起因する電極間電圧の変化を元に戻しやすい。したがって、機械学習において電極間電圧の変化のみに基づいて駆動パターンの評価を行う場合であっても、駆動パターンを適切に評価しやすい。その結果、放電灯の寿命をより向上できる。
【００２０】
前記第１検出部および前記第２検出部は、温度を検出し、前記制御部は、前記第１検出部によって検出された温度と前記第２検出部によって検出された温度との差が変化した場合に、前記突起の移動を検出し、前記駆動電力を増加させる構成としてもよい。
この構成によれば、突起の移動の検出が容易である。
【００２１】
前記第１検出部および前記第２検出部は、照度を検出し、前記制御部は、前記第１検出部によって検出された照度と前記第２検出部によって検出された照度との差が変化した場合に、前記突起の移動を検出し、前記駆動電力を増加させる構成としてもよい。
この構成によれば、突起の移動の検出が容易である。
【００２２】
本発明の光源装置の一つの態様は、光を射出する放電灯と、上記の放電灯駆動装置と、を備えることを特徴とする。
【００２３】
本発明の光源装置の一つの態様によれば、上記放電灯駆動装置を備えるため、上述したのと同様に、放電灯の寿命を向上できる。
【００２４】
本発明のプロジェクターは、上記の光源装置と、前記光源装置から射出される光を画像信号に応じて変調する光変調装置と、前記光変調装置により変調された光を投射する投射光学系と、を備えることを特徴とする。
【００２５】
本発明のプロジェクターの一つの態様によれば、上記光源装置を備えるため、上述したのと同様に、放電灯の寿命を向上できる。
【００２６】
前記光変調装置の光入射側に配置される偏光素子と、前記偏光素子を保持する保持フレームと、前記放電灯から射出され前記偏光素子に入射する光の光軸を挟んで配置される第１検出部および第２検出部と、をさらに備え、前記第１検出部および前記第２検出部は、温度と照度とのうちの少なくとも一方を検出し、かつ、前記保持フレームにおいて前記偏光素子の光入射側と同じ側に配置され、前記制御部は、前記第１検出部の検出結果と前記第２検出部の検出結果とに基づいて、前記駆動電力を増加させる構成としてもよい。
この構成によれば、突起の移動をより検出しやすい。
【００２７】
本発明の放電灯駆動方法の一つの態様は、第１電極および第２電極を有する放電灯に駆動電流を供給して、前記放電灯を駆動する放電灯駆動方法であって、機械学習に基づいて、前記駆動電流の複数の駆動パターンのうちいずれか１つの駆動パターンを選択し、選択された駆動パターンを実行し、前記放電灯の電極間電圧が第１電圧値以上で、かつ、前記第１電圧値よりも大きい第２電圧値以下の場合、前記放電灯に供給される駆動電力が前記電極間電圧の増加に応じて増加する第１制御を実行することを特徴とする。
【００２８】
本発明の放電灯駆動方法の一つの態様によれば、上述したのと同様に、放電灯の寿命を向上できる。
【図面の簡単な説明】
【００２９】
【図１】第１実施形態のプロジェクターを示す概略構成図である。
【図２】第１実施形態における放電灯を示す図である。
【図３】第１実施形態のプロジェクターの各種構成要素を示すブロック図である。
【図４】第１実施形態の放電灯点灯装置の回路図である。
【図５】第１実施形態の制御部の一構成例を示すブロック図である。
【図６Ａ】放電灯の電極先端の突起の様子を示す図である。
【図６Ｂ】放電灯の電極先端の突起の様子を示す図である。
【図７】第１実施形態の交流駆動において放電灯に供給される駆動電流波形の一例を示す図である。
【図８Ａ】第１実施形態の直流駆動において放電灯に供給される駆動電流波形の一例を示す図である。
【図８Ｂ】第１実施形態の直流駆動において放電灯に供給される駆動電流波形の一例を示す図である。
【図９】第１実施形態において放電灯に供給される駆動電流の駆動パターンの一例を示す図である。
【図１０】第１実施形態の初期学習期間における制御部の制御手順の一例を示すフローチャートである。
【図１１】第１実施形態の定常学習期間における制御部の制御手順の一例を示すフローチャートである。
【図１２】第１実施形態におけるランプ電圧に対する駆動電力の変化を示すグラフである。
【図１３】第１施形態における駆動電力を変化させる各制御の切り換え手順の一例を示すフローチャートである。
【図１４】第１実施形態における累積点灯時間と照度維持率との関係を示すグラフである。
【図１５Ａ】第１実施形態の片寄駆動において放電灯に供給される駆動電流波形の一例を示す図である。
【図１５Ｂ】第１実施形態の片寄駆動において放電灯に供給される駆動電流波形の一例を示す図である。
【図１６】第１実施形態の跳上駆動において放電灯に供給される駆動電流波形の一例を示す図である。
【図１７】第２実施形態におけるランプ電圧に対する駆動電力の変化を示すグラフである。
【図１８】第２実施形態における累積点灯時間と照度維持率との関係を示すグラフである。
【図１９】第３実施形態における液晶ライトバルブを光が入射する側から視た図である。
【図２０】放電灯における電極先端の突起の移動の例を示す図である。
【発明を実施するための形態】
【００３０】
以下、図面を参照しながら、本発明の実施形態に係るプロジェクターについて説明する。
なお、本発明の範囲は、以下の実施の形態に限定されず、本発明の技術的思想の範囲内で任意に変更可能である。また、以下の図面においては、各構成をわかりやすくするために、実際の構造と各構造における縮尺や数等を異ならせる場合がある。
【００３１】
＜第１実施形態＞
図１は、本実施形態のプロジェクター５００を示す概略構成図である。図１に示すように、本実施形態のプロジェクター５００は、光源装置２００と、平行化レンズ３０５と、照明光学系３１０と、色分離光学系３２０と、３つの液晶ライトバルブ３３０Ｒ，３３０Ｇ，３３０Ｂと、クロスダイクロイックプリズム３４０と、投射光学系３５０と、を備えている。
【００３２】
光源装置２００から射出された光は、平行化レンズ３０５を通過して照明光学系３１０に入射する。平行化レンズ３０５は、光源装置２００からの光を平行化する。
【００３３】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００３４】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、画像信号に応じてそれぞれ変調される。液晶ライトバルブ３３０Ｒ，３３０Ｇ，３３０Ｂは、後述する液晶パネル（光変調装置）５６０Ｒ，５６０Ｇ，５６０Ｂと、入射側偏光板３３１Ｒ，３３１Ｇ，３３１Ｂと、射出側偏光板３３２Ｒ，３３２Ｇ，３３２Ｂと、を備えている。入射側偏光板（偏光素子）３３１Ｒ，３３１Ｇ，３３１Ｂは、液晶パネル５６０Ｒ，５６０Ｇ，５６０Ｂのそれぞれにおける光が入射する側（光入射側）に配置される。射出側偏光板３３２Ｒ，３３２Ｇ，３３２Ｂは、液晶パネル５６０Ｒ，５６０Ｇ，５６０Ｂにおける光が射出される側（光射出側）に配置される。
【００３５】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に画像が表示される。なお、平行化レンズ３０５、照明光学系３１０、色分離光学系３２０、クロスダイクロイックプリズム３４０、投射光学系３５０の各々の構成としては、周知の構成を採用することができる。
【００３６】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡１１３と、を備えている。
【００３７】
放電灯点灯装置１０は、放電灯９０に駆動電流Ｉを供給して放電灯９０を点灯させる。主反射鏡１１２は、放電灯９０から放出された光を照射方向Ｄに向けて反射する。照射方向Ｄは、放電灯９０の光軸ＡＸと平行である。
【００３８】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００３９】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００４０】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００４１】
第１端子５３６および第２端子５４６は、放電灯点灯装置１０に接続されている。放電灯点灯装置１０は、第１端子５３６および第２端子５４６に、放電灯９０を駆動するための駆動電流Ｉを供給する。その結果、第１電極９２および第２電極９３の間でアーク放電が起きる。アーク放電により発生した光（放電光）は、破線の矢印で示すように、放電位置から全方向に向かって放射される。
【００４２】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００４３】
副反射鏡１１３は、固定部材５２２により、放電灯９０の第２端部９０ｅ２側に固定されている。副反射鏡１１３の反射面（放電灯９０側の面）の形状は、放電空間９１の第２端部９０ｅ２側の部分を囲む球面形状である。副反射鏡１１３は、放電光のうち、主反射鏡１１２が配置された側と反対側に向かって進む光を主反射鏡１１２に向かって反射する。これにより、放電空間９１から放射される光の利用効率を高めることができる。
【００４４】
固定部材１１４，５２２の材料は、放電灯９０からの発熱に耐え得る耐熱材料である範囲内において、特に限定されず、例えば、無機接着剤である。主反射鏡１１２および副反射鏡１１３と放電灯９０との配置を固定する方法としては、主反射鏡１１２および副反射鏡１１３を放電灯９０に固定する方法に限らず、任意の方法を採用できる。例えば、放電灯９０と主反射鏡１１２とを、独立にプロジェクター５００の筐体（図示せず）に固定してもよい。副反射鏡１１３についても同様である。
【００４５】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００４６】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００４７】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００４８】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００４９】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００５０】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。すなわち、液晶パネル５６０Ｒ，５６０Ｇ，５６０Ｂは、通過する光を画像信号５１２Ｒ，５１２Ｇ，５１２Ｂに応じて変調する。
【００５１】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００５２】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部６０と、イグナイター回路７０と、を備えている。
【００５３】
電力制御回路２０は、放電灯９０に供給する駆動電力Ｗｄを生成する。本実施形態においては、電力制御回路２０は、直流電源装置８０からの電圧を入力とし、入力電圧を降圧して直流電流Ｉｄを出力するダウンチョッパー回路で構成されている。
【００５４】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００５５】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００５６】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００５７】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００５８】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００５９】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００６０】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００６１】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００６２】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値（駆動電力Ｗｄの電力値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００６３】
本実施形態において制御部４０は、例えば、交流駆動と、直流駆動と、を実行可能である。交流駆動は、放電灯９０に交流電流が供給される駆動である。直流駆動は、放電灯９０に直流電流が供給される駆動である。各放電灯駆動によって放電灯９０に供給される駆動電流Ｉの駆動電流波形については、後段において詳述する。
【００６４】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００６５】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧（電極間電圧）Ｖｌａおよび駆動電流Ｉに基づき、電力制御回路コントローラー４２および極性反転回路コントローラー４３を制御してもよい。
【００６６】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、駆動電流Ｉの複数の駆動パターンＤＷが格納されている。より具体的には、記憶部４４には、例えば、各駆動パターンＤＷを構成する各駆動に関する、駆動が実行される時間の長さ、駆動電流Ｉの電流値、周波数、周期数、極性、波形、変調パターン等の駆動パラメーターに関する情報が格納されている。駆動電流Ｉの各駆動パターンＤＷは、上述した交流駆動と直流駆動とのうち少なくとも一方を含んでいる。駆動パターンＤＷの詳細については、後段において詳述する。
【００６７】
電力制御回路コントローラー４２は、システムコントローラー４１からの制御信号に基づき、電力制御回路２０へ電流制御信号を出力することにより、電力制御回路２０を制御する。
【００６８】
極性反転回路コントローラー４３は、システムコントローラー４１からの制御信号に基づき、極性反転回路３０へ極性反転制御信号を出力することにより、極性反転回路３０を制御する。
【００６９】
制御部４０は、機械学習を行う。制御部４０は、機械学習に基づいて、記憶部４４に格納された複数の駆動パターンＤＷのうちいずれか１つの駆動パターンＤＷを選択し、選択された駆動パターンＤＷを実行する。機械学習の詳細については、後段において詳述する。
【００７０】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００７１】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００７２】
図４に示した例では、制御部４０は、放電灯点灯装置１０の一部として構成されている。これに対して、制御部４０の機能の一部をＣＰＵ５８０が担うように構成されていてもよい。
【００７３】
動作検出部６０は、本実施形態においては、放電灯９０のランプ電圧Ｖｌａを検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００７４】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００７５】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００７６】
図６Ａおよび図６Ｂには、第１電極９２および第２電極９３の先端部分が示されている。第１電極９２および第２電極９３の先端にはそれぞれ突起５５２ｐ，５６２ｐが形成されている。上述した放電灯９０におけるアーク放電は、第１電極９２の突起５５２ｐと第２電極９３の突起５６２ｐとの間に生じる。図６Ａは、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７７】
図６Ｂは、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。
【００７８】
このように、放電灯９０に駆動電流Ｉが供給されることで、電子が衝突する陽極の温度は上昇する。一方、電子を放出する陰極は、陽極に向けて電子を放出している間、温度は低下する。
【００７９】
第１電極９２と第２電極９３との電極間距離は、突起５５２ｐ，５６２ｐの劣化とともに大きくなる。突起５５２ｐ，５６２ｐが損耗するためである。電極間距離が大きくなると、第１電極９２と第２電極９３との間の抵抗が大きくなるため、ランプ電圧Ｖｌａが大きくなる。したがって、ランプ電圧Ｖｌａを参照することによって、電極間距離の変化、すなわち、放電灯９０の劣化度合いを検出することができる。
【００８０】
なお、第１電極９２と第２電極９３とは、同様の構成であるため、以下の説明においては、代表して第１電極９２についてのみ説明する場合がある。また、第１電極９２の先端の突起５５２ｐと第２電極９３の先端の突起５６２ｐとは、同様の構成であるため、以下の説明においては、代表して突起５５２ｐについてのみ説明する場合がある。
【００８１】
以下、本実施形態の制御部４０による放電灯駆動部２３０の制御について説明する。本実施形態において制御部４０は、交流駆動および直流駆動うち少なくとも１つの駆動によって放電灯駆動部２３０を制御する。
【００８２】
本実施形態において制御部４０は、後述の１つ以上の駆動を組み合わせた駆動パターンＤＷを複数実行可能である。本実施形態において各駆動パターンＤＷは、駆動パターンＤＷを構成する各駆動における駆動パラメーターのうち少なくとも１つが互いに異なる駆動電流波形を有する。
【００８３】
以下、各駆動について説明する。図７は、交流駆動において放電灯９０に供給される駆動電流波形の一例を示す図である。図８Ａおよび図８Ｂは、直流駆動において放電灯９０に供給される駆動電流波形の一例を示す図である。図７、図８Ａおよび図８Ｂにおいて、縦軸は駆動電流Ｉを示しており、横軸は時間Ｔを示している。駆動電流Ｉは、第１極性状態である場合を正とし、第２極性状態となる場合を負として示している。
【００８４】
図７に示す交流駆動において放電灯９０に供給される駆動電流Ｉは、例えば、電流値Ｉｍと電流値−Ｉｍとの間で極性が複数回反転される矩形波交流電流である。図７に示す交流電流において、周期Ｃ１の長さは、一定である。図７に示す交流電流のデューティー比は、０．５（５０％）である。
【００８５】
図８Ａに示す直流駆動において放電灯９０に供給される駆動電流Ｉは、一定の電流値Ｉｍを有する第１極性の直流電流である。図８Ｂに示す直流駆動において放電灯９０に供給される駆動電流Ｉは、一定の電流値−Ｉｍを有する第２極性の直流電流である。
【００８６】
図９は、本実施形態において、放電灯９０に供給される駆動電流Ｉの駆動パターンＤＷの一例を示す図である。図９において縦軸は駆動電流Ｉを示しており、横軸は時間Ｔを示している。
【００８７】
図９に示される駆動パターンＤＷは、交流駆動および直流駆動から構成される。より具体的には、図９の駆動パターンＤＷは、第１交流駆動ＡＣ１、第１直流駆動ＤＣ１、第２交流駆動ＡＣ２、および第２直流駆動ＤＣ２から構成される。そして、この駆動パターンＤＷは、各交流駆動および各直流駆動に関して複数の駆動パラメーターを有する。例えば、第１交流駆動ＡＣ１は、駆動パラメーターとして、交流駆動の実行時間の長さｔａ１および交流電流の第１周波数ｆ１を有する。第１直流駆動ＤＣ１は、駆動パラメーターとして、直流駆動の実行時間の長さｔｄ１および第１極性を有する。第２交流駆動ＡＣ２は、駆動パラメーターとして、交流駆動の実行時間の長さｔａ２および交流電流の第２周波数ｆ２を有する。第２直流駆動ＤＣ２は、駆動パラメーターとして、直流駆動の実行時間の長さｔｄ２および第２極性を有する。
【００８８】
なお、図９の駆動パターンＤＷの場合、第１交流駆動ＡＣ１の実行時間の長さｔａ１および第２交流駆動ＡＣ２の実行時間の長さｔａ２は、同じとしており、また、第１交流駆動ＡＣ１の実行時間の長さｔａ１および第２交流駆動ＡＣ２の実行時間の長さｔａ２も、同じとしている。さらに、図９の駆動パターンＤＷの場合、第１交流駆動ＡＣ１における交流電流の第１周波数ｆ１および第２交流駆動ＡＣ２における交流電流の第２周波数ｆ２は、同じとしている。
【００８９】
第１周波数ｆ１および第２周波数ｆ２は、例えば、１００Ｈｚ以上、１ｋＨｚ以下である。第１交流駆動ＡＣ１の実行時間の長さｔａ１および第２交流駆動ＡＣ２の実行時間の長さｔａ２は、例えば、１０ｍｓ（ミリ秒）以上、１０ｓ（秒）以下である。第１直流駆動ＤＣ１の実行時間の長さｔｄ１および第２直流駆動ＤＣ２の実行時間の長さｔｄ２は、例えば、１０ｍｓ（ミリ秒）以上、４０ｍｓ（ミリ秒）以下である。
【００９０】
複数の駆動パターンＤＷは、例えば、上記各駆動における各駆動パラメーターの数値範囲のうちから選択された複数の数値が適宜組み合わされて構成される。例えば、組み合わせとして用いる各駆動における駆動パラメーターの種類の合計は、２種類以上、６種類以下が好ましく、駆動パラメーターの種類ごとに用意する数値は、２つ以上、６つ以下が好ましい。これらを組み合わせて複数の駆動パターンＤＷを構成することで、好ましい数の駆動パターンＤＷが得られる。
【００９１】
例えば、前述の図９に示される駆動パターンＤＷで説明された駆動パラメーターは、交流駆動の実行時間の長さ、交流駆動における交流電流の周波数、直流駆動の実行時間の長さ、および直流駆動の極性であり、この場合、各駆動における駆動パラメーターの種類の合計は、４種類である。
【００９２】
複数の駆動パターンＤＷは、上述した複数の駆動パラメーターのうちの少なくとも１つの駆動パラメーターの値が互いに異なる。駆動パターンＤＷの数は、例えば、３パターン以上、１５０パターン以下である。好ましくは、駆動パターンＤＷの数は、１０パターン以上、１００パターン以下である。より好ましくは、駆動パターンＤＷ数は、２０パターン以上、３０パターン以下である。このように駆動パターンＤＷの数を設定することで、放電灯９０の寿命をより向上できる。
【００９３】
次に、本実施形態の制御部４０による各駆動パターンＤＷの切り換えについて説明する。制御部４０は、機械学習に基づいて、駆動パターンＤＷを切り換える。本実施形態において制御部４０は、ランプ電圧Ｖｌａの変化に基づいて駆動パターンＤＷの評価を行い、この駆動パターンＤＷの評価に基づいて、駆動パターンＤＷの選択を行う。
【００９４】
本実施形態においては、複数の駆動パターンＤＷの初期評価が行われる初期学習期間と、初期学習期間の後に設けられる定常学習期間と、が設けられる。図１０は、初期学習期間における制御部４０の制御手順の一例を示すフローチャートである。なお、以下の説明においては、駆動パターンＤＷは、Ｎ個設けられ、各駆動パターンＤＷには、それぞれ１番〜Ｎ番までの番号が振られているとする。
【００９５】
図１０に示すように、制御部４０は、初期学習期間を開始した（ステップＳ１１）後、１番〜Ｎ番までの駆動パターンＤＷのうちから、初期学習期間において選択していない駆動パターンＤＷを選択する（ステップＳ１２）。制御部４０は、例えば、選択していない駆動パターンＤＷをランダムで選択する。初期学習期間を開始した直後においては、いずれの駆動パターンＤＷも選択していないため、制御部４０は、１番〜Ｎ番までの駆動パターンＤＷのうちから１つの駆動パターンＤＷを選択する。次に、動作検出部６０の電圧検出部は、放電灯９０のランプ電圧Ｖｌａ１を検出し（ステップＳ１３）、制御部４０は、検出されたランプ電圧Ｖｌａ１を記憶部４４に記憶する。そして、制御部４０は、選択された駆動パターンＤＷを実行する（ステップＳ１４）。
【００９６】
駆動パターンＤＷの実行を開始した後、制御部４０は、現在選択されている駆動パターンＤＷの実行が開始されてから初期学習時間が経過したか否かを判断する（ステップＳ１５）。初期学習時間の長さは、例えば、１０ｍｉｎ（分）以上、１２０ｍｉｎ（分）以下である。現在選択されている駆動パターンＤＷの実行が開始されてから初期学習時間が経過していない場合（ステップＳ１５：ＮＯ）、制御部４０は、現在選択されている駆動パターンＤＷを実行し続ける。
【００９７】
一方、現在選択されている駆動パターンＤＷの実行が開始されてから初期学習時間が経過した場合（ステップＳ１５：ＹＥＳ）、動作検出部６０の電圧検出部は、放電灯９０のランプ電圧Ｖｌａ２を検出し（ステップＳ１６）、制御部４０は、検出されたランプ電圧Ｖｌａ２を記憶部４４に記憶する。そして、制御部４０は、現在選択されている駆動パターンＤＷを評価する（ステップＳ１７）。
【００９８】
本実施形態において駆動パターンＤＷの評価は、ランプ電圧Ｖｌａの変化に基づいて行われる。具体的には、制御部４０は、選択された駆動パターンＤＷを初期学習時間実行した後のランプ電圧Ｖｌａ２の値と、選択された駆動パターンＤＷを実行する前のランプ電圧Ｖｌａ１に対する、駆動パターンＤＷを初期学習時間実行した後のランプ電圧Ｖｌａ２の差と、に基づいて、駆動パターンＤＷを評価する。以下の説明においては、駆動パターンＤＷを実行する前のランプ電圧Ｖｌａ１に対する、駆動パターンＤＷを初期学習時間実行した後のランプ電圧Ｖｌａ２の差を、第１変動電圧値と呼ぶ。
【００９９】
ここで、ランプ電圧Ｖｌａには、目標数値範囲が設定されている。制御部４０は、可能な限りランプ電圧Ｖｌａを目標数値範囲に維持できるように、各駆動パターンＤＷの選択・実行を行う。目標数値範囲は、例えば、６０Ｖ以上、６５Ｖ未満である。駆動パターンＤＷの評価が比較的高くなる場合は、例えば、１つの駆動パターンＤＷを実行したことでランプ電圧Ｖｌａ（１つの駆動パターンＤＷが初期学習時間実行された後のランプ電圧Ｖｌａ２）が目標数値範囲内となった場合、１つの駆動パターンＤＷを実行したことでランプ電圧Ｖｌａが目標数値範囲に近づいた場合、および１つの駆動パターンＤＷを実行する前後でランプ電圧Ｖｌａを目標数値範囲内に維持できた場合等である。また、駆動パターンＤＷの評価が比較的低い場合は、例えば、１つの駆動パターンＤＷを実行したことでランプ電圧Ｖｌａが目標数値範囲から外れた場合、および１つの駆動パターンＤＷを実行したことでランプ電圧Ｖｌａが目標数値範囲から遠ざかった場合等である。
【０１００】
一例として、１つの駆動パターンＤＷを初期学習時間実行した後のランプ電圧Ｖｌａ２が目標数値範囲よりも大きい場合、かつ、第１変動電圧値が負の値である場合、選択された１つの駆動パターンＤＷの評価は比較的高い。また、１つの駆動パターンＤＷを初期学習時間実行した後のランプ電圧Ｖｌａ２が目標数値範囲よりも大きい場合、かつ、第１変動電圧値が正の値である場合、選択された１つの駆動パターンＤＷの評価は比較的低い。一方、１つの駆動パターンＤＷを初期学習時間実行した後のランプ電圧Ｖｌａ２が目標数値範囲よりも小さい場合、かつ、第１変動電圧値が負の値である場合、選択された１つの駆動パターンＤＷの評価は比較的低い。また、１つの駆動パターンＤＷを初期学習時間実行した後のランプ電圧Ｖｌａ２が目標数値範囲よりも小さい場合、かつ、第１変動電圧値が正の値である場合、選択された１つの駆動パターンＤＷの評価は比較的高い。さらに、１つの駆動パターンＤＷを初期学習時間実行した後のランプ電圧Ｖｌａ２が目標数値範囲内である場合には、第１変動電圧値の絶対値が小さいほど、選択された１つの駆動パターンＤＷの評価は比較的高く、一方で、第１変動電圧値の絶対値が大きいほど、選択された１つの駆動パターンＤＷの評価は比較的低い。
【０１０１】
なお、第１変動電圧値が負の値であるとは、１つの駆動パターンＤＷを初期学習時間実行したことでランプ電圧Ｖｌａが低下したことを意味する。第１変動電圧値が正の値であるとは、１つの駆動パターンＤＷを初期学習時間実行したことでランプ電圧Ｖｌａが上昇したことを意味する。
【０１０２】
選択されている駆動パターンＤＷを評価した後、制御部４０は、初期学習期間において１番〜Ｎ番までの駆動パターンＤＷを全て実行したか否かを判断する（ステップＳ１８）。１番〜Ｎ番までの駆動パターンＤＷのうちで初期学習期間において実行していない駆動パターンＤＷがある場合（ステップＳ１８：ＮＯ）、制御部４０は、別の駆動パターンＤＷを選択して実行し、評価する（ステップＳ１２〜Ｓ１７）。一方で、初期学習期間において１番〜Ｎ番までのＮパターンの駆動パターンＤＷを全て実行した場合（ステップＳ１８：ＹＥＳ）、制御部４０は、初期学習期間を終了して、定常学習期間に移行する（ステップＳ１９）。初期学習期間の長さは、例えば、１０ｈ（時間）未満である。
【０１０３】
本実施形態において、選択された駆動パターンＤＷを実行する前のランプ電圧Ｖｌａ１として、ステップＳ１２において複数の駆動パターンＤＷのうちから選択していない駆動パターンＤＷを選択した後に、動作検出部６０の電圧検出部によって放電灯９０のランプ電圧Ｖｌａを検出することとしたが、これに限られない。選択されたＸ番目の駆動パターンＤＷを実行する前のランプ電圧Ｖｌａ１は、例えば、選択されたＸ番目の駆動パターンＤＷの１つ前に選択された（Ｘ−１）番目の駆動パターンＤＷが初期学習時間実行された後に検出されたランプ電圧Ｖｌａ２としてもよい。このように制御することで、ステップＳ１３におけるランプ電圧Ｖｌａ１の検出が不要となり、初期評価の処理をより簡略化できる。
【０１０４】
図１１は、定常学習期間における制御部４０の制御手順の一例を示すフローチャートである。図１１では、定常学習期間における１サイクルを示している。定常学習期間において制御部４０は、図１１に示すような１サイクルを繰り返し実行する。図１１に示すように、制御部４０は、定常学習期間を開始した（ステップＳ２１）後、１番〜Ｎ番までの駆動パターンＤＷの中から、定常学習期間において選択されていない駆動パターンＤＷと比較的評価の高い駆動パターンＤＷとのうち一方の駆動パターンＤＷを選択する（ステップＳ２２〜Ｓ２４）。なお、制御部４０は、例えば、１番〜Ｎ番までの駆動パターンＤＷの中から駆動パターンＤＷをランダムで選択する。
【０１０５】
より具体的には、例えば、制御部４０は、１番〜Ｎ番までの駆動パターンＤＷの中から、定常学習期間において選択されていない駆動パターンＤＷと比較的評価の高い駆動パターンＤＷとのうち前者（定常学習期間において選択されていない駆動パターンＤＷ）を選択するか否かを判断し（ステップＳ２２）、比較的評価の高い駆動パターンＤＷを選択する場合（ステップＳ２２：ＮＯ）、１番〜Ｎ番までの駆動パターンＤＷの中から比較的評価の高い駆動パターンＤＷを選択する（ステップＳ２３）。制御部４０は、例えば、１番〜Ｎ番までの駆動パターンＤＷのうち、評価が最も高い駆動パターンＤＷ、すなわち、ランプ電圧Ｖｌａをランプ電圧Ｖｌａの目標数値範囲に最も近付ける駆動パターンＤＷを選択する。そして、制御部４０は、ステップＳ２３において選択された駆動パターンＤＷを実行する（ステップＳ２６）。
【０１０６】
一方で、制御部４０は、定常学習期間において選択されていない駆動パターンＤＷである前者を選択する場合（ステップＳ２２：ＹＥＳ）、１番〜Ｎ番までの駆動パターンＤＷの中から定常学習期間において選択されていない駆動パターンＤＷを選択する（ステップＳ２４）。そして、定常学習期間において選択されていない駆動パターンＤＷが選択された場合、制御部４０は、選択された駆動パターンＤＷが実行条件を満たすか否かを判断する（ステップＳ２５）。実行条件は、例えば、選択された駆動パターンＤＷが前回選択され実行された際に、後述するステップＳ２８において他の駆動パターンＤＷへ切り換えられていないことを含む。
【０１０７】
ステップＳ２４において選択された駆動パターンＤＷが実行条件を満たす場合（ステップＳ２５：ＹＥＳ）、ステップＳ２６に移行し、制御部４０は、選択された駆動パターンＤＷを実行する。一方、選択された駆動パターンＤＷが実行条件を満たさない場合（ステップＳ２５：ＮＯ）、ステップＳ２２に移行し、制御部４０は、１番〜Ｎ番までの駆動パターンＤＷの中から他の駆動パターンＤＷを選択し、上述したのと同様の判断を行う。
【０１０８】
次に、選択された駆動パターンＤＷの実行を開始した後、制御部４０は、現在選択されている駆動パターンＤＷの実行を開始してから定常学習時間が経過したか否かを判断する（ステップＳ２７）。ステップＳ２７において判断する定常学習時間は、例えば、初期学習期間におけるステップＳ１５で判断する初期学習時間と同じである。すなわち、定常学習時間の長さは、例えば、１０ｍｉｎ（分）以上、１２０ｍｉｎ（分）以下である。現在選択されている駆動パターンＤＷの実行が開始されてから定常学習時間が経過していない場合（ステップＳ２７：ＮＯ）、制御部４０は、現在の駆動パターンＤＷが切換条件（第１所定条件）を満たすか否かを判断する（ステップＳ２８）。
【０１０９】
切換条件は、例えば、第１切換条件と、第２切換条件とのいずれか１つを満たすことを含む。第１切換条件は、現在の駆動パターンＤＷの実行中に、定常学習時間内で検出されたランプ電圧Ｖｌａの変化（変動電圧値）の絶対値が第１所定値以上となり、かつ、検出されたランプ電圧Ｖｌａが目標数値範囲から外れることである。第２切換条件は、現在の駆動パターンＤＷの実行が開始してから経過した時間が第１時間以下の場合に、ランプ電圧Ｖｌａの変化の絶対値が第２所定値以上となることを含む。第１時間は、定常学習時間よりも小さく、例えば、５ｍｉｎ（分）である。第２所定値は、第１所定値よりも小さい。第１所定値は、例えば、５Ｖである。第２所定値は、例えば、３Ｖである。
【０１１０】
すなわち、第１時間以下においてはランプ電圧Ｖｌａの変化の絶対値が第１所定値よりも小さい第２所定値以上となった場合でも切換条件（第２切換条件）を満たすこととし、第１時間を超えた場合においてはランプ電圧Ｖｌａの変化が第２所定値よりも大きい第１所定値以上とならなければ切換条件（第１切換条件）を満たさないこととする。このような関係とすることで、制御部４０は、現在選択されている駆動パターンＤＷの実行時間とランプ電圧Ｖｌａとに基づいて、現在選択されている駆動パターンＤＷの切換を段階的に判断する。
【０１１１】
現在選択されている駆動パターンＤＷが切換条件を満たす場合（ステップＳ２８：ＹＥＳ）、制御部４０は、現在の放電灯９０の状態においては、現在選択されている駆動パターンＤＷが放電灯９０の寿命を向上させるために好ましくない駆動パターンＤＷであると判断する。そして、制御部４０は、現在選択されている駆動パターンＤＷの評価を下げる。
【０１１２】
その後、制御部４０は、上述したのと同様にして、ステップＳ２２〜ステップＳ２６を実行し、次の駆動パターンＤＷの選択・実行を行う。このように、制御部４０は、駆動パターンＤＷ実行時において、ランプ電圧Ｖｌａの変化が切換条件を満たす場合、現在選択されている駆動パターンＤＷから他の駆動パターンＤＷに切り換える。
【０１１３】
一方で、現在の駆動パターンＤＷが切換条件を満たさない場合（ステップＳ２８：ＮＯ）、制御部４０は、定常学習時間が経過するまで現在選択されている駆動パターンＤＷを実行する。そして、現在の駆動パターンＤＷの実行を開始してから定常学習時間が経過した場合（ステップＳ２７：ＹＥＳ）、動作検出部６０の電圧検出部は、放電灯９０のランプ電圧Ｖｌａを検出し（ステップＳ２９）、制御部４０は、検出されたランプ電圧Ｖｌａを記憶部４４に記憶する。その後、制御部４０は、現在選択されている駆動パターンＤＷを評価する（ステップＳ３０）。
【０１１４】
ステップＳ３０における駆動パターンＤＷの評価は、例えば、初期学習期間のステップＳ１７における駆動パターンＤＷの評価と同様である。すなわち、制御部４０は、選択された駆動パターンＤＷを定常学習時間実行した後のランプ電圧Ｖｌａの値と、選択された駆動パターンＤＷを実行する前のランプ電圧Ｖｌａに対する駆動パターンＤＷを定常学習時間実行した後のランプ電圧Ｖｌａの差と、に基づいて、駆動パターンＤＷを評価する。以下の説明においては、駆動パターンＤＷを実行する前のランプ電圧Ｖｌａに対する駆動パターンＤＷを定常学習時間実行した後のランプ電圧Ｖｌａの差を、第２変動電圧値と呼ぶ。
【０１１５】
ステップＳ３０において制御部４０は、定常学習期間において選択された駆動パターンＤＷの再評価を行う。すなわち、制御部４０は、各駆動パターンＤＷに対し、初期学習期間において行われた評価、および現時点よりも前の定常学習期間において行われた評価を更新する。
【０１１６】
続いて、制御部４０は、現在選択されている駆動パターンＤＷが連続実行条件（第２所定条件）を満たすか否か判断する（ステップＳ３１）。連続実行条件は、第１連続実行条件と、第２連続実行条件と、第３連続実行条件とのいずれか１つを満たすことを含む。第１連続実行条件、第２連続実行条件、および第３連続実行条件の各々は、連続実行回数が所定回数以下であることを含む。連続実行回数に関する所定回数は、例えば、２回以上、１５回以下である。
【０１１７】
そして、第１連続実行条件は、選択された駆動パターンＤＷを定常学習時間実行した後のランプ電圧Ｖｌａが目標数値範囲よりも大きく、かつ、第２変動電圧値が負の値であることである。第２連続実行条件は、選択された駆動パターンＤＷの実行前後でランプ電圧Ｖｌａが目標数値範囲内に含まれていることである。第３連続実行条件は、選択された駆動パターンＤＷを定常学習時間実行した後のランプ電圧Ｖｌａが目標数値範囲よりも小さく、かつ、第２変動電圧値が正の値であることである。
【０１１８】
現在の駆動パターンＤＷが連続実行条件を満たす場合（ステップＳ３１：ＹＥＳ）、制御部４０は、現在の放電灯９０の状態においては、現在選択されている駆動パターンＤＷが放電灯９０の寿命を向上させるために好ましい駆動パターンＤＷであると判断する。そして、制御部４０は、現在選択されている駆動パターンＤＷを、次に実行する駆動パターンＤＷとして再び選択する（ステップＳ３２）。そして、ステップＳ２６へ移行し、制御部４０は、今回実行する駆動パターンＤＷとして選択された前回の駆動パターンＤＷを連続して実行する。
【０１１９】
以上に説明したように、本実施形態において制御部４０は、選択された１つの駆動パターンＤＷを定常学習時間実行した前後のランプ電圧Ｖｌａの変化が連続実行条件を満たす場合、同じ駆動パターンＤＷを複数回連続して実行する。
【０１２０】
一方で、現在の駆動パターンＤＷが連続実行条件を満たさない場合（ステップＳ３１：ＮＯ）、制御部４０は、ステップＳ２２〜Ｓ２６において駆動パターンＤＷの選択および実行を所定回数実行したか否かを判断する（ステップＳ３３）。
【０１２１】
駆動パターンＤＷの選択および実行を所定回数実行していない場合（ステップＳ３３：ＮＯ）、ステップＳ２２へ移行して、再び駆動パターンＤＷの選択を行う。１サイクルの定常学習期間における駆動パターンＤＷの選択および実行に関する所定回数は、例えば、駆動パターンＤＷの個数Ｎよりも大きい。
【０１２２】
駆動パターンＤＷの選択および実行を所定回数実行した場合（ステップＳ３３：ＹＥＳ）、制御部４０は、定常学習期間の１サイクルを終了する（ステップＳ３４）。制御部４０は、以上のような１サイクルを繰り返して、定常学習期間を実行し続ける。次の１サイクルは、駆動パターンＤＷの選択および実行の回数がリセットされること以外は、定常学習期間の前回のサイクルから各パラメーターを引き継いだ状態で実行される。
【０１２３】
以上のようにして、制御部４０は、初期学習期間と定常学習期間とによって機械学習を行い、実行する駆動パターンＤＷを選択する。初期学習期間は、例えば、プロジェクター５００が初めて点灯された後に１回のみ行われる。定常学習期間は、例えば、初期学習期間が終了した後、プロジェクター５００が点灯している間、常時設けられる。例えば、プロジェクター５００の電源がＯＦＦにされた後、再びＯＮにされた際には、制御部４０は、前回電源がＯＦＦにされた際に実行していた期間を、中断されたところから再開する。
【０１２４】
制御部４０は、上述したようにして、機械学習に基づいて駆動パターンＤＷを切り換えつつ、ランプ電圧Ｖｌａに基づいて駆動電力Ｗｄを変化させる。制御部４０は、駆動電力Ｗｄを変化させる制御として、第１定電流制御（第１制御）ＣＣＣ１と、第１定電力制御（第２制御）ＣＰＣ１と、第２定電力制御（第３制御）ＣＰＣ２と、を実行可能である。図１２は、本実施形態におけるランプ電圧Ｖｌａに対する駆動電力Ｗｄの変化を示すグラフである。図１２において、縦軸は駆動電力Ｗｄを示しており、横軸はランプ電圧Ｖｌａを示している。
【０１２５】
第１定電流制御ＣＣＣ１は、図１２に示すように、放電灯９０に供給される駆動電力Ｗｄがランプ電圧Ｖｌａの増加に応じて増加する制御である。制御部４０は、第１定電流制御ＣＣＣ１において、放電灯９０に電流値が一定となる駆動電流Ｉを供給する。これにより、第１定電流制御ＣＣＣ１において、駆動電力Ｗｄは、ランプ電圧Ｖｌａの変化に対して線形に変化する。なお、本実施形態において、駆動電流Ｉの電流値が一定であるとは、電流値が所定電流範囲に維持されることを含む。所定電流範囲は、例えば、基準となる電流値に対して±１０％の電流値の範囲である。
【０１２６】
第１定電力制御ＣＰＣ１は、ランプ電圧Ｖｌａの値によらず駆動電力Ｗｄを第１所定電力範囲に維持する制御である。制御部４０は、第１定電力制御ＣＰＣ１において、放電灯９０に供給される駆動電力Ｗｄを低電力値（所定電力値）ＷｄＬに維持する。これにより、第１定電力制御ＣＰＣ１において、駆動電力Ｗｄの値は、一定の値（低電力値ＷｄＬ）に維持される。低電力値ＷｄＬは、放電灯９０の定格電力値ＷｄＨよりも小さい。
【０１２７】
第２定電力制御ＣＰＣ２は、ランプ電圧Ｖｌａの値によらず駆動電力Ｗｄを第２所定電力範囲に維持する制御である。制御部４０は、第２定電力制御ＣＰＣ２において、放電灯９０に供給される駆動電力Ｗｄを定格電力値ＷｄＨに維持する。これにより、第２定電力制御ＣＰＣ２において、駆動電力Ｗｄの値は、一定の値（定格電力値ＷｄＨ）に維持される。
【０１２８】
次に、本実施形態における駆動電力Ｗｄを変化させる各制御の切り換えについて説明する。図１３は、本実施形態における駆動電力Ｗｄを変化させる各制御の切り換え手順の一例を示すフローチャートである。
【０１２９】
制御部４０は、図１３に示すように、放電灯９０を点灯させた（ステップＳ４１）後、ランプ電圧Ｖｌａが初期電圧値（第１電圧値）ＶｌａＳ以上か否かを判断する（ステップＳ４２）。初期電圧値ＶｌａＳは、放電灯９０の初期におけるランプ電圧Ｖｌａの値である。初期電圧値ＶｌａＳは、例えば、放電灯９０を初めて点灯させた際において放電灯９０の点灯が安定したときのランプ電圧Ｖｌａの値である。制御部４０は、放電灯９０を初めて点灯させた際において放電灯９０の点灯が安定したときに、ランプ電圧Ｖｌａの値を動作検出部６０の電圧検出部によって検出し、その検出された値を初期電圧値ＶｌａＳとして記憶部４４に格納する。初期電圧値ＶｌａＳは、例えば、６５Ｖ以上、７０Ｖ以下である。
【０１３０】
ランプ電圧Ｖｌａが初期電圧値ＶｌａＳ以上の場合（ステップＳ４２：ＹＥＳ）、制御部４０は、ランプ電圧Ｖｌａが上限電圧値（第２電圧値）ＶｌａＵよりも大きいか否かを判断する（ステップＳ４３）。本実施形態において上限電圧値ＶｌａＵは、第１定電流制御ＣＣＣ１において放電灯９０に供給される駆動電力Ｗｄが定格電力値ＷｄＨまで増加した場合のランプ電圧Ｖｌａの値である。上限電圧値ＶｌａＵは、初期電圧値ＶｌａＳよりも大きい。上限電圧値ＶｌａＵは、例えば、７５Ｖ以上、８５Ｖ以下である。
【０１３１】
ランプ電圧Ｖｌａが上限電圧値ＶｌａＵ以下の場合（ステップＳ４３：ＮＯ）、制御部４０は、第１定電流制御ＣＣＣ１を実行する（ステップＳ４４）。すなわち、制御部４０は、ランプ電圧Ｖｌａが初期電圧値ＶｌａＳ以上で、かつ、上限電圧値ＶｌａＵ以下の場合、第１定電流制御ＣＣＣ１を実行する。上述したように、本実施形態において初期電圧値ＶｌａＳは、放電灯９０を初めて点灯させた際において放電灯９０の点灯が安定したときのランプ電圧Ｖｌａの値である。したがって、本実施形態では、初めて放電灯９０を点灯させた際には、まず初めに第１定電流制御ＣＣＣ１が実行される。
【０１３２】
図１２に示すように、本実施形態の第１定電流制御ＣＣＣ１において駆動電力Ｗｄの値は、ランプ電圧Ｖｌａが初期電圧値ＶｌａＳである場合、低電力値ＷｄＬであり、ランプ電圧Ｖｌａが上限電圧値ＶｌａＵである場合、定格電力値ＷｄＨである。
【０１３３】
一方、図１３に示すように、ランプ電圧Ｖｌａが上限電圧値ＶｌａＵよりも大きい場合（ステップＳ４３：ＹＥＳ）、制御部４０は、第２定電力制御ＣＰＣ２を実行する（ステップＳ４５）。図１２に示すように、本実施形態において制御部４０は、第２定電力制御ＣＰＣ２において、駆動電力Ｗｄの値を、第１定電流制御ＣＣＣ１における上限電圧値ＶｌａＵのときの駆動電力Ｗｄの値（定格電力値ＷｄＨ）に一定に維持する。すなわち、制御部４０は、第１定電流制御ＣＣＣ１において、ランプ電圧Ｖｌａが上限電圧値ＶｌａＵである場合、放電灯９０に供給される駆動電力Ｗｄを定格電力値ＷｄＨまで増加させ、かつ、第２定電力制御ＣＰＣ２において、放電灯９０に供給される駆動電力Ｗｄを定格電力値ＷｄＨに維持する。
【０１３４】
また、図１３に示すように、ランプ電圧Ｖｌａが初期電圧値ＶｌａＳよりも小さい場合（ステップＳ４２：ＮＯ）、制御部４０は、第１定電力制御ＣＰＣ１を実行する（ステップＳ４６）。図１２に示すように、本実施形態において制御部４０は、第１定電力制御ＣＰＣ１において、駆動電力Ｗｄの値を、第１定電流制御ＣＣＣ１における初期電圧値ＶｌａＳのときの駆動電力Ｗｄの値（低電力値ＷｄＬ）に一定に維持する。すなわち、制御部４０は、第１定電流制御ＣＣＣ１において、ランプ電圧Ｖｌａが初期電圧値ＶｌａＳである場合、放電灯９０に供給される駆動電力Ｗｄを低電力値ＷｄＬとし、かつ、第１定電力制御ＣＰＣ１において、駆動電力Ｗｄを低電力値ＷｄＬに維持する。
【０１３５】
上述した制御を行う制御部４０を備える放電灯点灯装置１０は、放電灯駆動方法としても表現できる。すなわち、本実施形態の放電灯駆動方法の一つの態様は、第１電極９２および第２電極９３を有する放電灯９０に駆動電流Ｉを供給して、放電灯９０を駆動する放電灯駆動方法であって、機械学習に基づいて、駆動電流Ｉの複数の駆動パターンＤＷのうちいずれか１つの駆動パターンＤＷを選択し、選択された駆動パターンＤＷを実行し、放電灯９０のランプ電圧Ｖｌａが初期電圧値ＶｌａＳ以上で、かつ、初期電圧値ＶｌａＳよりも大きい上限電圧値ＶｌａＵ以下の場合、放電灯９０に供給される駆動電力Ｗｄがランプ電圧Ｖｌａの増加に応じて増加する第１定電流制御ＣＣＣ１を実行することを特徴とする。
【０１３６】
例えば、従来においては、ランプ電圧Ｖｌａの値と駆動電力Ｗｄの値とに対応した駆動パターンＤＷが予め設定されていたため、ランプ電圧Ｖｌａおよび駆動電力Ｗｄが同じ値である場合には、実行される駆動パターンＤＷは、予め設定された１つの駆動パターンＤＷであった。
【０１３７】
これに対して、本実施形態では、機械学習によって駆動パターンＤＷが選択されるため、例えば、ランプ電圧Ｖｌａが所定の電圧値であり駆動電力Ｗｄが所定の電力値である場合、少なくとも１つの駆動パラメーターが互いに異なる複数の駆動パターンＤＷが実行される。すなわち、例えば、制御部４０、放電灯９０に供給される駆動電力Ｗｄが所定の電力帯であり、かつ、放電灯９０のランプ電圧Ｖｌａが所定の電圧値である場合に、少なくとも３つの駆動パターンＤＷを実行する。この少なくとも３つの駆動パターンＤＷは、１つの駆動パターンＤＷを構成する駆動における複数の駆動パラメーターのうちの少なくとも１つの駆動パラメーターの値が互いに異なる駆動パターンＤＷである。すなわち、ランプ電圧Ｖｌａを一定とし、かつ、駆動電力Ｗｄの電力帯を一定として放電灯９０に供給される駆動電流Ｉの駆動パターンＤＷを検出する場合、少なくとも３つ以上の異なる駆動パターンＤＷを検出可能である。なお、所定の電力帯とは、例えば、幅が１０Ｗ以内程度の駆動電力Ｗｄの数値範囲である。
【０１３８】
また、上述したように機械学習によって駆動パターンＤＷの選択・実行を行うと、放電灯９０のランプ電圧Ｖｌａが所定の電圧値である場合、放電灯９０の累積点灯時間ＴＴあるいは放電灯９０の個体が異なることで、選択・実行される駆動パターンＤＷが異なる。すなわち、制御部４０は、放電灯９０のランプ電圧Ｖｌａが所定の電圧値である場合、放電灯９０の累積点灯時間ＴＴおよび放電灯９０の個体のうちの少なくとも一方に応じて、少なくとも２つの駆動パターンＤＷ、例えば第１駆動パターンおよび第２駆動パターンを実行する。
【０１３９】
第１駆動パターンと第２駆動パターンとは、複数の駆動パターンＤＷのうちの任意の２つの駆動パターンＤＷである。第１駆動パターンと第２駆動パターンとは、各駆動パターンを構成する駆動における複数の駆動パラメーターのうち少なくとも１つの駆動パラメーターの値が互いに異なる。なお、累積点灯時間ＴＴは、放電灯９０が点灯された時間の総計である。すなわち、累積点灯時間ＴＴは、放電灯９０が初めて点灯したときから積算された放電灯９０の点灯時間である。
【０１４０】
具体的には、例えば、制御部４０は、ランプ電圧Ｖｌａが所定の電圧値であり、かつ、累積点灯時間ＴＴが第１累積点灯時間である場合、第１駆動パターンを実行し、ランプ電圧Ｖｌａが所定の電圧値であり、かつ、累積点灯時間ＴＴが第１累積点灯時間とは異なる第２累積点灯時間である場合、第２駆動パターンを実行する。すなわち、ランプ電圧Ｖｌａを一定として放電灯９０に供給される駆動電流Ｉの駆動パターンＤＷを検出する場合、放電灯９０の累積点灯時間ＴＴが変わると、異なる駆動パターンＤＷを少なくとも２つ以上検出可能である。
【０１４１】
また、例えば、制御部４０は、ランプ電圧Ｖｌａが所定の電圧値であり、かつ、放電灯９０が第１個体である場合、第１駆動パターンを実行し、ランプ電圧Ｖｌａが所定の電圧値であり、かつ、放電灯９０が第１個体とは異なる第２個体である場合、第２駆動パターンを実行する。すなわち、ランプ電圧Ｖｌａを一定として放電灯９０に供給される駆動電流Ｉの駆動パターンＤＷを検出する場合、放電灯９０の個体が変わると、異なる駆動パターンＤＷを少なくとも２つ以上検出することが可能である。
【０１４２】
なお、複数の駆動パラメーターのうち少なくとも１つの駆動パラメーターの値が互いに異なるとは、例えば２つの駆動パターンＤＷの間で、各駆動パターンＤＷを構成する駆動が異なる場合を含む。より具体的には、例えば、第１駆動パターンが直流駆動で構成され、第２駆動パターンが直流駆動および交流駆動で構成され、かつ、第１駆動パターンにおける交流駆動に関する各駆動パラメーターと第２駆動パターンにおける交流駆動に関する各パラメーターとが同じである場合も、第１駆動パターンと第２駆動パターンとは、少なくとも１つの駆動パラメーターの値が互いに異なる駆動パターンＤＷとする。この場合、第２駆動パターンには直流駆動が含まれないため、第２駆動パターンにおける直流駆動に関する駆動パラメーターをゼロとみなす。これにより、この場合において第１駆動パターンと第２駆動パターンとは、直流駆動に関する駆動パラメーターが互いに異なる。
【０１４３】
本実施形態によれば、上述したようにして、制御部４０は、機械学習に基づいて、複数の駆動パターンＤＷのうちからいずれか１つの駆動パターンＤＷを選択して、選択した駆動パターンＤＷを実行する。そのため、放電灯９０に個体差がある場合であっても、機械学習を行うことで、放電灯９０の個体差に応じて、好適な駆動パターンＤＷを選択することができる。したがって、本実施形態によれば、放電灯９０の個体差によらず、放電灯９０の寿命を向上させることができる。
【０１４４】
また、放電灯９０に供給される駆動電力Ｗｄが変化すると、第１電極９２の突起５５２ｐの溶融度合い、および成長度合いが変化する。そのため、従来では、放電灯９０に供給される駆動電力Ｗｄごとに、ランプ電圧Ｖｌａに応じて、放電灯９０に供給される駆動電流Ｉの好適な駆動パターンＤＷを決め、記憶部４４に格納しておく必要があった。したがって、全ての駆動電力Ｗｄごとにランプ電圧Ｖｌａに応じた駆動パターンＤＷを設定しておくことは困難であり、予め決められた複数種類の駆動電力Ｗｄにしか、放電灯９０に供給される駆動電力Ｗｄを変更できない仕様となっていた。
【０１４５】
これに対して、本実施形態によれば、機械学習に基づいて駆動パターンＤＷが選択されるため、駆動電力Ｗｄを変化させた場合であっても、駆動電力Ｗｄの変化に応じて、好適な駆動パターンＤＷを選択することができる。これにより、放電灯９０に供給される駆動電力Ｗｄを容易に多段階で変化させることが可能となる。したがって、例えば、使用者が、駆動電力Ｗｄを任意に変化させて、プロジェクター５００から投射される映像の輝度を自由に変更することが可能となる。そのため、例えば、駆動電力Ｗｄを比較的小さくして、プロジェクター５００の消費電力を好適に抑えつつ、放電灯９０の寿命を向上させることも可能となる。また、上述した第１定電流制御ＣＣＣ１のように、ランプ電圧Ｖｌａの変動に応じて駆動電流Ｉが一定になるように駆動電力Ｗｄを変化させる制御を実行した場合であっても、放電灯９０の寿命が低下することを抑制できる。
【０１４６】
また、駆動電力Ｗｄを任意に変更することが可能となるため、放電灯９０の寿命を向上させる際に変化させる駆動パターンＤＷの駆動パラメーターの一つとして、駆動電力Ｗｄを用いることも可能となる。これにより、放電灯９０の寿命をより向上させることができる。例えば、プロジェクター５００の筐体には、駆動電力Ｗｄを変化させるための操作部を設けてもよい。
【０１４７】
また、本実施形態によれば、制御部４０は、ランプ電圧Ｖｌａの変化に基づいて駆動パターンＤＷの選択を行う。そのため、ランプ電圧Ｖｌａを検出することで、駆動パターンＤＷの選択を行うことができ、機械学習を好適かつ容易に行うことができる。
【０１４８】
また、本実施形態によれば、制御部４０は、選択された駆動パターンＤＷの実行時において、検出されたランプ電圧Ｖｌａの変化が切換条件を満たす場合、選択された駆動パターンＤＷから他の駆動パターンＤＷに切り換える。そのため、選択された駆動パターンＤＷが、そのときの放電灯９０の状態に対して寿命を向上させるのに好ましくない駆動パターンＤＷである場合に、駆動パターンＤＷを他の好適な駆動パターンＤＷへ切り換えられる。したがって、放電灯９０の寿命が低下することを抑制できる。
【０１４９】
また、上述したように、切換条件を満たした駆動パターンＤＷは、評価を下げられ、かつ、ステップＳ２４において次に当該切換条件を満たした駆動パターンＤＷが選択され、ステップＳ２５において当該切換条件を満たした駆動パターンＤＷが実行条件を満たすか判断される際に、実行条件を満たさないと判断される。すなわち、制御部４０は、所定期間の間、当該切換条件を満たした駆動パターンＤＷを実行しない。そのため、本実施形態によれば、放電灯９０の寿命を低下させる可能性が高い駆動パターンＤＷが実行されることを抑制でき、放電灯９０の寿命をより向上させることができる。
【０１５０】
上述したように制御部４０は、選択された駆動パターンＤＷの実行を開始してから定常学習時間が経過した場合に、次の駆動パターンＤＷを選択するため、駆動パターンＤＷの実行時間の長さは基本的には、定常学習時間の長さと同じになる。しかし、定常学習期間において選択された駆動パターンＤＷは、放電灯９０の状態によって、定常学習時間が経過する前に途中で他の駆動パターンＤＷへ切り換えられることがあるため、同じ駆動パターンＤＷであっても、１つの駆動パターンＤＷの実行を開始してから次の駆動パターンＤＷに切り換えられるまでの、選択された１つの駆動パターンＤＷの実行時間が変化する場合がある。
【０１５１】
すなわち、制御部４０は、ランプ電圧Ｖｌａに基づいて、複数の駆動パターンＤＷのうちの所定の駆動パターンＤＷが実行される実行時間の長さを変化させる。そのため、ランプ電圧Ｖｌａの変化に応じて、適宜駆動パターンＤＷを切り換えることができ、放電灯９０の寿命をより向上できる。
【０１５２】
また、複数の駆動パターンＤＷのうちの所定の駆動パターンＤＷが実行される実行時間の長さは、上述したようにして変化するため、放電灯９０の累積点灯時間ＴＴに応じて変化する。また、複数の駆動パターンＤＷのうちの所定の駆動パターンが実行される実行時間の長さは、上述したようにして変化するため、放電灯９０の個体に応じて変化する。選択された駆動パターンＤＷが途中で他の駆動パターンＤＷへ切り換えられた場合、当該選択された駆動パターンＤＷの実行時間は、定常学習時間よりも短い。
【０１５３】
また、例えば、評価が最も高い駆動パターンＤＷ、すなわち、放電灯９０のランプ電圧Ｖｌａを目標数値範囲に最も近付ける駆動パターンＤＷであっても、常に同じ駆動パターンＤＷを実行する場合には、第１電極９２の突起５５２ｐが成長しにくくなる場合があり、放電灯９０の寿命を十分に向上させにくくなる場合がある。また、例えば、放電灯９０の第１電極９２の突起５５２ｐの溶融度合いおよび成長度合いは、放電灯９０の劣化、すなわち累積点灯時間ＴＴの増加に伴って変化する。そのため、ある時点において放電灯９０の寿命を向上させるために好適な駆動パターンＤＷであっても、別の時点において放電灯９０の寿命を向上させるために不適な駆動パターンＤＷとなることがある。
【０１５４】
これに対して、本実施形態によれば、制御部４０は、定常学習期間の１サイクルにおいて、Ｎ個の駆動パターンＤＷの中から選択されていない駆動パターンＤＷおよび比較的評価の高い駆動パターンＤＷのうち一方を選択・実行する。そのため、１サイクル内において、評価の最も高い駆動パターンＤＷを含む比較的評価の高い駆動パターンＤＷと、それ以外の駆動パターンＤＷと、の両方が実行される。すなわち、本実施形態の制御部４０は、一定の期間内において、複数の駆動パターンＤＷのうち評価の最も高い駆動パターンＤＷを含む比較的評価の高い駆動パターンＤＷ（以下、高評価駆動パターンＤＷｍと呼ぶ）と、複数の駆動パターンＤＷのうち高評価駆動パターンＤＷｍよりも評価の低い駆動パターンＤＷ（以下、他の駆動パターンＤＷｅと呼ぶ）と、の両方を実行する。これにより、評価の高い高評価駆動パターンＤＷｍの間に、高評価駆動パターンＤＷｍよりも評価が低い他の駆動パターンＤＷｅを実行することができ、第１電極９２に対して加えられる熱負荷の刺激を大きく変動させやすい。したがって、突起５５２ｐを成長させやすく、放電灯９０の寿命をより向上させやすい。
【０１５５】
また、本実施形態によれば、制御部４０は、選択された駆動パターンＤＷが実行された前後のランプ電圧Ｖｌａの変化が連続実行条件を満たす場合、当該選択された駆動パターンＤＷを複数回、連続して実行する。ここで、本実施形態は、ランプ電圧Ｖｌａが所定の電圧値であり駆動電力Ｗｄが所定の電力値である場合、少なくとも１つの駆動パラメーターが互いに異なる複数の駆動パターンＤＷが実行される構成である。すなわち、本実施形態は、１つの条件下で２つ以上の駆動パターンＤＷのうち１つが選択され実行されるというランダム性を有する一方で、選択された駆動パターンＤＷが連続実行条件を満たした場合には、１つの同じ駆動パターンが連続して実行されることになる特性も有する。そのため、放電灯９０の寿命を向上させるのに好適な駆動パターンＤＷを複数回、連続して実行することができ、放電灯９０の寿命をより向上させやすい。また、本実施形態において連続実行条件は、連続実行回数が所定回数以下であることを含む。そのため、放電灯９０の状態が大きく変化しない程度の実行時間で、好適な駆動パターンＤＷを複数回、連続して実行することができる。したがって、放電灯９０の寿命をより向上させやすい。
【０１５６】
また、本実施形態によれば、制御部４０は、ステップＳ２５で示したように実行条件を満たすか否かの判断を行い、実行条件を満たさない場合には、その駆動パターンＤＷを実行しない。これにより、評価が比較的低い駆動パターンＤＷが実行されにくい。したがって、放電灯９０の寿命をより向上させやすい。
【０１５７】
以上のような機械学習に基づいて駆動パターンＤＷが選択・実行されるため、本実施形態においては、ランプ電圧Ｖｌａによらず、各駆動パターンＤＷが実行される確率は互いに異なる。すなわち、放電灯９０のランプ電圧Ｖｌａが所定の電圧値である場合、第１駆動パターンが実行される確率と、第２駆動パターンが実行される確率と、は互いに異なる。
【０１５８】
また、少なくとも第１駆動パターンおよび第２駆動パターンがそれぞれ１回以上実行される実行期間において、実行期間の長さに対する第１駆動パターンが実行される実行時間の割合と、実行期間の長さに対する第２駆動パターンが実行される実行時間の割合と、は互いに異なる。実行期間とは、例えば、定常学習期間の１サイクルに相当する。
【０１５９】
また、少なくとも第１駆動パターンおよび第２駆動パターンがそれぞれ１回以上実行される実行期間、すなわち例えば定常学習期間の１サイクルにおいて、第１駆動パターンが実行される回数と、前記第２駆動パターンが実行される回数と、は互いに異なる。第１駆動パターンを、評価の最も高い駆動パターンＤＷを含む高評価駆動パターンＤＷｍとし、第２駆動パターンを、他の駆動パターンＤＷｅのうちの１つの駆動パターンＤＷとする場合、第１駆動パターンが実行される回数は、第２駆動パターンが実行される回数よりも多い。
【０１６０】
また、例えば、選択される複数の駆動パターンＤＷの個数（Ｎ）が少なすぎると、放電灯９０の状態に応じた好適な駆動パターンＤＷが含まれていない場合がある。一方、駆動パターンＤＷの個数が多すぎると、初期学習期間に時間が掛かり、好適な駆動パターンＤＷを選択するまでに時間が掛かる。また、定常学習期間において好適な駆動パターンＤＷ以外の実行する割合が大きくなる。
【０１６１】
これに対して、駆動パターンＤＷの個数を１０パターン以上、１００パターン以下とすれば、放電灯９０の状態に応じた好適な駆動パターンＤＷを選択しやすく、初期学習期間の時間も短くできる。また、定常学習期間において好適な駆動パターンＤＷの割合を大きくできるため、より放電灯９０の寿命を向上できる。また、駆動パターンＤＷの個数を２０パターン以上、３０パターン以下とすれば、これらの効果をより高く得られる。
【０１６２】
図１４は、本実施形態における累積点灯時間ＴＴと照度維持率Ｌｒとの関係を示すグラフである。図１４において、縦軸は照度維持率Ｌｒ［％］を示しており、横軸は累積点灯時間ＴＴを示している。照度維持率Ｌｒは、初めて点灯した際の放電灯９０の照度に対する現在の放電灯９０の照度の割合である。図１４に示す実線は、本実施形態における駆動電力Ｗｄを変化させる各制御の切り換えを行った場合の照度維持率Ｌｒの変化を示す。図１４に示す二点鎖線は、駆動電力Ｗｄを変化させずに、駆動電力Ｗｄを低電力値ＷｄＬに一定に維持し続けた場合の照度維持率Ｌｒの変化を示す。
【０１６３】
例えば、駆動電力Ｗｄが一定に維持される制御の場合、図１４において二点鎖線で示すように、放電灯９０の累積点灯時間ＴＴが増加するのに従って、照度維持率Ｌｒは低下する。これは、以下の理由による。累積点灯時間ＴＴが増加すると、ランプ電圧Ｖｌａが増加する。そのため、駆動電力Ｗｄが一定の場合、放電灯９０に供給される駆動電流Ｉが減少する。これにより、アーク放電によるプラズマ密度が低下し、放電灯９０の照度が低下する。したがって、累積点灯時間ＴＴが増加するのに従って、照度維持率Ｌｒが低下する。
【０１６４】
図１４の例では、累積点灯時間ＴＴが、値ＴＴ２となったときに、照度維持率Ｌｒが限界値Ｌｒｍｉｎとなる。限界値Ｌｒｍｉｎは、放電灯９０の使用に耐える限界の照度維持率Ｌｒの値である。限界値Ｌｒｍｉｎは、例えば、５０％である。放電灯９０の寿命は、照度維持率Ｌｒが限界値Ｌｒｍｉｎに到達するまでの累積点灯時間ＴＴに相当する。すなわち、値ＴＴ２は、放電灯９０の寿命に相当する。
【０１６５】
以上のように、駆動電力Ｗｄが一定に維持される制御において、放電灯９０を点灯させるほど放電灯９０の照度維持率Ｌｒが低下するため、放電灯９０の初期の照度維持率Ｌｒが維持される期間が短く、放電灯９０の照度維持率Ｌｒが比較的低い状態で使用する期間が比較的長くなりやすい。また、放電灯９０を使用する使用者に、放電灯９０の使用を継続することに伴って、放電灯９０の照度（明るさ）が低下することを認識させてしまう。そのため、使用者の快適性を十分に向上できない場合があった。具体的には、本実施形態のように放電灯９０がプロジェクター５００に搭載される場合、プロジェクター５００から投射される画像の輝度が比較的低い状態で使用する期間が長くなりやすい。なお、図１４の二点鎖線では、照度維持率Ｌｒは、例えば、累積点灯時間ＴＴに対して線形に変化する。
【０１６６】
これに対して、本実施形態によれば、ランプ電圧Ｖｌａが初期電圧値ＶｌａＳ以上で、かつ、上限電圧値ＶｌａＵ以下の場合、第１定電流制御ＣＣＣ１が実行される。第１定電流制御ＣＣＣ１においては、放電灯９０に供給される駆動電力Ｗｄがランプ電圧Ｖｌａの増加に応じて増加する。そのため、ランプ電圧Ｖｌａが増加した場合に、駆動電力Ｗｄを増加させて、放電灯９０に供給される駆動電流Ｉを増加させることができる。これにより、第１定電流制御ＣＣＣ１を実行している間、累積点灯時間ＴＴが増加しても、放電灯９０の照度維持率Ｌｒが低下することを抑制できる。すなわち、第１定電流制御ＣＣＣ１が実行されている間、放電灯９０の照度（明るさ）を一定に維持することができる。したがって、放電灯９０の使用者に、初回の放電灯９０の使用から一定の明るさを提供することができる。さらに、放電灯９０の照度維持率Ｌｒが比較的高い状態で使用する期間を長くしやすく、使用者の快適性を向上できる。
【０１６７】
また、駆動電力Ｗｄを一定に維持し続ける場合において、ランプ電圧Ｖｌａが増加すると、放電灯９０に供給される駆動電流Ｉが減少するため、第１電極９２および第２電極９３に加えられる熱負荷が低下し、突起５５２ｐ，５６２ｐが成長しにくくなる場合がある。これに対して、本実施形態によれば、第１定電流制御ＣＣＣ１によってランプ電圧Ｖｌａが変動した場合であっても駆動電流Ｉの値を維持できるため、第１電極９２および第２電極９３に加えられる熱負荷が低下することを抑制できる。したがって、第１電極９２および第２電極９３に十分な熱負荷を加えやすく、突起５５２ｐ，５６２ｐを成長させやすい。その結果、放電灯９０の寿命を向上させることができる。上述したように、このようにランプ電圧Ｖｌａの変動に基づいて駆動電力Ｗｄを変化させても、機械学習を用いることで、放電灯９０の寿命が低下することを抑制できる。
【０１６８】
また、本実施形態によれば、第１定電流制御ＣＣＣ１において、放電灯９０に電流値が一定となる駆動電流Ｉが供給される。そのため、第１定電流制御ＣＣＣ１が実行されている期間において、放電灯９０の照度維持率Ｌｒを一定に維持しやすい。これにより、累積点灯時間ＴＴが増加しても、放電灯９０の照度維持率Ｌｒが低下することをより抑制でき、使用者の快適性をより向上できる。本実施形態では、ランプ電圧Ｖｌａが初期電圧値ＶｌａＳ以上の場合に第１定電流制御ＣＣＣ１が実行されるため、初めて放電灯９０を使用したときから第１定電流制御ＣＣＣ１が実行される。これにより、第１定電流制御ＣＣＣ１が実行される期間においては、放電灯９０の照度維持率Ｌｒは、ほぼ１００％に維持される。
【０１６９】
また、例えば、放電灯９０を初めて点灯させた後、第１電極９２および第２電極９３の突起５５２ｐ，５６２ｐが成長し、ランプ電圧Ｖｌａが初期電圧値ＶｌａＳよりも小さくなる場合がある。この現象は、特に、放電灯９０の累積点灯時間ＴＴが数十時間から数百時間以下の場合に発生する場合がある。この場合において第１定電流制御ＣＣＣ１を行うと、駆動電力Ｗｄの値が低電力値ＷｄＬよりも小さくなり、放電灯９０における放電空間９１内の温度が比較的低くなる。これにより、放電媒体であるガスの圧力が低下し、放電灯９０の照度が低下する場合がある。
【０１７０】
これに対して、本実施形態によれば、ランプ電圧Ｖｌａが初期電圧値ＶｌａＳよりも小さい場合、ランプ電圧Ｖｌａの値によらず駆動電力Ｗｄを第１所定電力範囲に維持する第１定電力制御ＣＰＣ１が実行される。すなわち、第１定電力制御ＣＰＣ１において、第１定電流制御ＣＣＣ１にてランプ電圧Ｖｌａが初期電圧値ＶｌａＳである場合に放電灯９０に供給される駆動電流Ｉの電流値よりも高い駆動電流Ｉが、放電灯９０に供給される。そのため、ランプ電圧Ｖｌａが初期電圧値ＶｌａＳよりも小さい場合に、駆動電力Ｗｄが小さくなることを抑制でき、放電空間９１内の温度が低下することを抑制できる。これにより、放電灯９０の照度が低下することを抑制できる。また一方で、ランプ電圧Ｖｌａが初期電圧値ＶｌａＳよりも小さい場合には、駆動電力Ｗｄを一定の範囲に維持しても照度低下が生じにくい。したがって、本実施形態によれば、放電灯９０の照度維持率Ｌｒが低下することをより抑制でき、使用者の快適性をより向上できる。
【０１７１】
また、本実施形態によれば、第１定電力制御ＣＰＣ１において放電灯９０に供給される駆動電力Ｗｄは、第１定電流制御ＣＣＣ１においてランプ電圧Ｖｌａが初期電圧値ＶｌａＳの場合の駆動電力Ｗｄである低電力値ＷｄＬに維持される。そのため、ランプ電圧Ｖｌａが初期電圧値ＶｌａＳの近傍の値である場合には、第１定電力制御ＣＰＣ１における放電灯９０の照度は、第１定電流制御ＣＣＣ１における放電灯９０の照度と同程度となる。ここで、ランプ電圧Ｖｌａが初期電圧値ＶｌａＳよりも小さくなる場合、ランプ電圧Ｖｌａの値は、初期電圧値ＶｌａＳの近傍となりやすい。そのため、第１定電流制御ＣＣＣ１と第１定電力制御ＣＰＣ１とを切り換えることで、第１定電流制御ＣＣＣ１と第１定電力制御ＣＰＣ１とが実行されている間は放電灯９０の照度が略一定に維持され、使用者の快適性が低下することを抑制できる。すなわち、第１定電流制御ＣＣＣ１と第１定電力制御ＣＰＣ１との間で切り換えることで、第１定電流制御ＣＣＣ１または第１定電力制御ＣＰＣ１が実行されている間、放電灯９０の照度を略一定に維持することができる。
【０１７２】
なお、本明細書において「ある期間内において放電灯の照度が略一定である」とは、例えば、ある期間内において、放電灯の照度の最小値に対する放電灯の照度の最大値の比が、１．０以上、１．２以下となることを含む。
【０１７３】
また、本実施形態によれば、ランプ電圧Ｖｌａが放電灯９０の初期におけるランプ電圧Ｖｌａの値である初期電圧値ＶｌａＳ以上の場合に、第１定電流制御ＣＣＣ１が実行される。そのため、放電灯９０の使用を開始した初期から放電灯９０の照度を一定に維持することができ、使用者の快適性をより向上できる。
【０１７４】
また、第１定電流制御ＣＣＣ１においては、ランプ電圧Ｖｌａが増加するほど駆動電力Ｗｄが増加するため、ランプ電圧Ｖｌａがある程度大きくなると、放電灯９０に供給される駆動電力Ｗｄが過剰に大きくなる場合がある。この場合、放電灯９０に大きな負荷が掛かり、放電灯９０の寿命が低下する場合がある。
【０１７５】
これに対して、本実施形態によれば、ランプ電圧Ｖｌａが上限電圧値ＶｌａＵ以上の場合、ランプ電圧Ｖｌａの値によらず駆動電力Ｗｄを第２所定電力範囲に維持する第２定電力制御ＣＰＣ２が実行される。そのため、放電灯９０に供給される駆動電力Ｗｄが過剰に大きくなることを抑制でき、放電灯９０の寿命が低下することを抑制できる。
【０１７６】
図１４の例では、累積点灯時間ＴＴが値ＴＴ１を超えたときに、第１定電流制御ＣＣＣ１から第２定電力制御ＣＰＣ２に切り換わる。すなわち、累積点灯時間ＴＴが値ＴＴ１となったときに、ランプ電圧Ｖｌａは、上限電圧値ＶｌａＵとなる。第２定電力制御ＣＰＣ２においては、累積点灯時間ＴＴが増加するのに従って照度維持率Ｌｒが低下する。そして、例えば、二点鎖線で示した、駆動電力Ｗｄが一定に維持される制御と同様に、累積点灯時間ＴＴが値ＴＴ２となったときに、照度維持率Ｌｒが限界値Ｌｒｍｉｎとなる。累積点灯時間ＴＴが値ＴＴ１から値ＴＴ２に達するまでの間において、照度維持率Ｌｒは、二点鎖線で示した駆動電力Ｗｄを一定に維持し続ける場合に比べて、大きい。したがって、第２定電力制御ＣＰＣ２を実行している場合においても、駆動電力Ｗｄを一定に維持し続ける場合に比べて、放電灯９０の照度を大きくすることができ、使用者の快適性をより向上できる。
【０１７７】
また、本実施形態によれば、機械学習を用いて、ランプ電圧Ｖｌａを好適な値に維持しやすいため、ランプ電圧Ｖｌａが上限電圧値ＶｌａＵに達するまでの累積点灯時間ＴＴである値ＴＴ１は、十分に大きい。したがって、照度維持率Ｌｒがほぼ１００％に維持されている期間を長くすることができ、使用者の快適性をより向上できる。
【０１７８】
また、本実施形態によれば、第２定電力制御ＣＰＣ２において放電灯９０に供給される駆動電力Ｗｄは、第１定電流制御ＣＣＣ１においてランプ電圧Ｖｌａが上限電圧値ＶｌａＵの場合の駆動電力Ｗｄである定格電力値ＷｄＨに維持される。そのため、ランプ電圧Ｖｌａが上限電圧値ＶｌａＵの近傍の値である場合には、第２定電力制御ＣＰＣ２における放電灯９０の照度は、第１定電流制御ＣＣＣ１における放電灯９０の照度と同程度となる。これにより、第１定電流制御ＣＣＣ１から第２定電力制御ＣＰＣ２に切り換わった際に、放電灯９０の照度が急激に変化することを抑制でき、使用者の快適性が低下することを抑制できる。また、維持される駆動電力Ｗｄが定格電力値ＷｄＨであるため、放電灯９０に加えられる駆動電力Ｗｄの値を好適に維持することができ、放電灯９０の寿命が低下することを抑制できる。
【０１７９】
なお、本実施形態においては、下記の構成および方法を採用することもできる。
【０１８０】
制御部４０は、機械学習に基づいて駆動パターンＤＷを選択・実行するならば、機械学習の方法は、特に限定されない。上述した駆動パターンＤＷの評価方法は、特に限定されない。初期学習時間と定常学習時間は、互いに異なってもよい。
【０１８１】
また、制御部４０は、ランプ電圧Ｖｌａが第３所定値以上低下した場合、駆動パターンＤＷを前回実行された駆動パターンＤＷに切り換えてもよい。より具体的には、例えば、選択された１つの駆動パターンＤＷが実行されている際に、制御部４０は、定常学習時間内に検出されたランプ電圧Ｖｌａに基づき、ランプ電圧Ｖｌａが第３所定値以上低下しているか否かを判断し、ランプ電圧Ｖｌａが第３所定値以上低下している場合には、前回実行した駆動パターンＤＷに切り換える。この構成によれば、例えば、突起５５２ｐが移動してランプ電圧Ｖｌａが急激に低下した場合に、突起５５２ｐが移動する前の駆動パターンＤＷに切り換えることができる。これにより、突起５５２ｐの位置を移動する前の位置に修正しやすい。また、制御部４０は、ランプ電圧Ｖｌａが第３所定値以上低下した場合、駆動パターンＤＷを前回実行された駆動パターンＤＷとは異なる駆動パターンＤＷに切り換えてもよい。
【０１８２】
また、制御部４０は、ランプ電圧Ｖｌａに基づいて、定常学習時間の長さを変化させてもよい。例えば、放電灯９０が劣化すると、駆動パターンＤＷによるランプ電圧Ｖｌａの変化が発生するまでの時間が長くなる場合がある。この場合、駆動パターンＤＷの実行時間が短いと、駆動パターンＤＷを適正に評価できない場合がある。これに対して、ランプ電圧Ｖｌａに基づいて、定常学習時間の長さを変化させることで、放電灯９０が劣化した場合に定常学習時間を長くして、駆動パターンＤＷの実行時間を長くすることができる。したがって、駆動パターンＤＷを適正に評価しやすく、結果として放電灯９０の寿命を向上できる。
【０１８３】
また、制御部４０は、ランプ電圧Ｖｌａに基づいて、駆動パターンＤＷの個数を変化させてもよいし、駆動パターンＤＷの各駆動における駆動パラメーターの種類を変化させてもよい。これらの場合、制御部４０は、ランプ電圧Ｖｌａに基づいて、複数の駆動パターンＤＷにおいて互いに異なる駆動パラメーターの種類の数を変化させてもよい。例えば、制御部４０は、ランプ電圧Ｖｌａが第１電圧よりも大きい場合に、複数の駆動パターンＤＷにおいて互いに異なる駆動パラメーターの種類の数を多くしてもよい。この構成によれば、放電灯９０が劣化した場合に、第１電極９２に加えられる熱負荷の変化による刺激を大きくしやすく、放電灯９０の寿命をより向上させることができる。
【０１８４】
また、制御部４０は、直前までのランプ電圧Ｖｌａの変化に基づいて、駆動パターンＤＷを選択してもよい。また、制御部４０は、定常学習期間の１サイクルにおいて必ず１回ずつ以上、全ての駆動パターンＤＷが実行されるようにしてもよい。また、制御部４０は、予め設定された複数の駆動パターンＤＷ以外の駆動パターンＤＷを定常学習期間中に作り出してもよい。この場合、制御部４０は、予め設定されている各駆動パターンＤＷの評価値に基づいて、駆動パラメーターを組み合わせて新たな駆動パターンＤＷを作ってもよい。
【０１８５】
また、制御部４０は、初期学習期間でのステップＳ１５において、定常学習期間でのステップＳ２８のように、現在選択されている駆動パターンＤＷが切換条件を満たすか否かを判断してもよい。例えば、現在選択されている駆動パターンＤＷが切換条件を満たす場合、制御部４０は、現在選択されている駆動パターンＤＷの評価を下げ、現在選択されている駆動パターンＤＷから他の駆動パターンＤＷへ切り換えてもよい。一方で、現在選択されている駆動パターンＤＷが切換条件を満たさない場合、制御部４０は、初期学習時間が経過するまで現在選択されている駆動パターンＤＷを実行してもよい。なお、この場合の切換条件は、ステップＳ２８における切換条件と同じでもよいし、異なっていてもよい。
【０１８６】
また、駆動パターンＤＷの駆動電流波形は、特に限定されない。例えば、駆動パターンＤＷの駆動電流波形は、図１５Ａ、図１５Ｂおよび図１６に示す駆動電流波形を含んでもよい。図１５Ａ、図１５Ｂおよび図１６は、交流駆動において放電灯９０に供給される駆動電流波形の他の一例を示す図である。図１５Ａ、図１５Ｂおよび図１６において、縦軸は駆動電流Ｉを示しており、横軸は時間Ｔを示している。駆動電流Ｉは、第１極性状態である場合を正とし、第２極性状態となる場合を負として示している。
【０１８７】
図１５Ａおよび図１５Ｂに示す交流駆動は、デューティー比が０．５（５０％）よりも小さい片寄駆動である。図１５Ａおよび図１５Ｂに示す片寄駆動において放電灯９０に供給される駆動電流Ｉは、例えば、電流値Ｉｍと電流値−Ｉｍとの間で極性が複数回反転される矩形波交流電流である。
【０１８８】
図１５Ａに示す片寄駆動において、周期Ｃ２の長さは、一定である。周期Ｃ２においては、第１極性状態となる第１極性期間Ｃ２１と、第２極性状態となる第２極性期間Ｃ２２と、が設けられる。第１極性期間Ｃ２１の長さは、第２極性期間Ｃ２２の長さよりも小さい。すなわち、図１５Ａに示す片寄駆動は、駆動パラメーターとして、周期数、周期Ｃ２の長さ、デューティー比、第１極性期間Ｃ２１の長さ、および第２極性期間Ｃ２２の長さを有する。
【０１８９】
図１５Ｂに示す片寄駆動において、周期の長さは、変化する。図１５Ｂの例では、第１周期Ｃ３と、第２周期Ｃ４と、第３周期Ｃ５と、が設けられる。第１周期Ｃ３の長さは、第２周期Ｃ４の長さよりも大きい。第３周期Ｃ５の長さは、第１周期Ｃ３の長さよりも大きい。
【０１９０】
第１周期Ｃ３においては、第１極性状態となる第１極性期間Ｃ３１と、第２極性状態となる第２極性期間Ｃ３２と、が設けられる。第２極性期間Ｃ３２の長さは、第１極性期間Ｃ３１の長さよりも小さい。第２周期Ｃ４においては、第１極性状態となる第１極性期間Ｃ４１と、第２極性状態となる第２極性期間Ｃ４２と、が設けられる。第２極性期間Ｃ４２の長さは、第１極性期間Ｃ４１の長さよりも小さい。第３周期Ｃ５においては、第１極性状態となる第１極性期間Ｃ５１と、第２極性状態となる第２極性期間Ｃ５２と、が設けられる。第２極性期間Ｃ５２の長さは、第１極性期間Ｃ５１の長さよりも小さい。
【０１９１】
第１極性期間Ｃ３１の長さは、第１極性期間Ｃ５１の長さよりも大きい。第１極性期間Ｃ４１の長さは、第１極性期間Ｃ３１の長さよりも大きい。第２極性期間Ｃ３２の長さと第２極性期間Ｃ４２の長さと第２極性期間Ｃ５２の長さとは、互いに同じである。第１極性期間Ｃ３１，Ｃ４１，Ｃ５１の長さは、例えば、５．０ｍｓ（ミリ秒）以上、２０ｍｓ（ミリ秒）以下である。第２極性期間Ｃ３２，Ｃ４２，Ｃ５２の長さは、０．５ｍｓ（ミリ秒）よりも小さい。
【０１９２】
すなわち、図１５Ｂに示す片寄駆動は、駆動パラメーターとして、図１５Ａの片寄駆動と同様に、周期数、各周期の長さ、各デューティー比、各第１極性期間の長さ、および各第２極性期間の長さを有する。
【０１９３】
図１６に示す交流駆動は、各極性状態において駆動電流Ｉの絶対値が大きくなる跳上駆動である。図１６に示す跳上駆動において放電灯９０に供給される駆動電流Ｉは、例えば、電流値がＩｍ１，Ｉｍ２，−Ｉｍ１，−Ｉｍ２の間で変化する矩形波交流電流である。Ｉｍ２および−Ｉｍ２の絶対値は、Ｉｍ１および−Ｉｍ１の絶対値よりも大きい。図１６に示す跳上駆動において、周期Ｃ６の長さは、一定である。図１６に示す交流電流のデューティー比は、０．５（５０％）である。
【０１９４】
周期Ｃ６においては、第１極性状態となる第１極性期間Ｃ６１と、第２極性状態となる第２極性期間Ｃ６２と、が設けられる。第１極性期間Ｃ６１の長さと第２極性期間Ｃ６２の長さとは、互いに同じである。第１極性期間Ｃ６１は、低電流期間Ｃ６１ａと、高電流期間Ｃ６１ｂと、を含む。低電流期間Ｃ６１ａは、駆動電流Ｉが電流値Ｉｍ１となる期間である。高電流期間Ｃ６１ｂは、駆動電流Ｉが電流値Ｉｍ２となる期間である。高電流期間Ｃ６１ｂの長さは、低電流期間Ｃ６１ａの長さよりも小さい。
【０１９５】
第２極性期間Ｃ６２は、低電流期間Ｃ６２ａと、高電流期間Ｃ６２ｂと、を含む。低電流期間Ｃ６２ａは、駆動電流Ｉが電流値−Ｉｍ１となる期間である。高電流期間Ｃ６２ｂは、駆動電流Ｉが電流値−Ｉｍ２となる期間である。高電流期間Ｃ６２ｂの長さは、低電流期間Ｃ６２ａの長さよりも小さい。低電流期間Ｃ６１ａの長さと低電流期間Ｃ６２ａの長さとは、互いに同じである。高電流期間Ｃ６１ｂの長さと高電流期間Ｃ６２ｂの長さとは、互いに同じである。
【０１９６】
すなわち、図１６に示す跳上駆動は、駆動パラメーターとして、周期数、周期Ｃ６の長さ、電流値Ｉｍ１および−Ｉｍ１の絶対値、電流値Ｉｍ２および−Ｉｍ２の絶対値、第１極性期間Ｃ６１の長さ、第２極性期間Ｃ６２の長さ、第１極性期間Ｃ６１における低電流期間Ｃ６１ａの長さおよび高電流期間Ｃ６１ｂの長さ、第２極性期間Ｃ６２における低電流期間Ｃ６２ａの長さおよび高電流期間Ｃ６２ｂの長さ、第１極性期間Ｃ６１における低電流期間Ｃ６１ａまたは高電流期間Ｃ６１ｂの割合、第２極性期間Ｃ６２における低電流期間Ｃ６２ａまたは高電流期間Ｃ６２ｂの割合、電流値Ｉｍ１および−Ｉｍ１の絶対値に対する電流値Ｉｍ２および−Ｉｍ２の絶対値の割合等を有する。
【０１９７】
なお、上記の説明においては、図１５Ａ、図１５Ｂおよび図１６に示す駆動を交流駆動の一例として説明したが、これに限られない。例えば、図１５Ａ、図１５Ｂおよび図１６に示す駆動を、直流駆動の一例としてみなしてもよい。この場合、直流駆動の極性、および直流駆動の実行時間の長さが適宜変化することで、各図に示す駆動電流波形が作られる。
【０１９８】
また、本実施形態においては、ランプ電圧Ｖｌａが初期電圧値ＶｌａＳ以上で、かつ、上限電圧値ＶｌａＵ以下の場合に駆動電力Ｗｄがランプ電圧Ｖｌａの増加に応じて増加する第１制御が実行されるならば、駆動電力Ｗｄを変化させる各制御は特に限定されない。例えば、第１制御は、放電灯９０に供給される駆動電流Ｉが一定ではない制御であってもよい。このような第１制御が実行される場合、例えば、ランプ電圧Ｖｌａの増加に対して、駆動電力Ｗｄ増加は、線形的な変化でなくてもよく、曲線的または不規則的に変化してもよい。
【０１９９】
また、本実施形態においては、ランプ電圧Ｖｌａが初期電圧値ＶｌａＳよりも小さい場合に実行される制御は、ランプ電圧Ｖｌａの値によらず駆動電力Ｗｄを第１所定電力範囲に維持する第２制御であれば、定電力制御でなくてもよい。すなわち、第２制御においては、第１所低電力範囲内であれば駆動電力Ｗｄが変動してもよい。
【０２００】
また、本実施形態においては、ランプ電圧Ｖｌａが上限電圧値ＶｌａＵよりも大きい場合に実行される制御は、ランプ電圧Ｖｌａの値によらず駆動電力Ｗｄを第２所定電力範囲に維持する第３制御であれば、定電力制御でなくてもよい。すなわち、第３制御においては、第２所低電力範囲内であれば駆動電力Ｗｄが変動してもよい。
【０２０１】
また、ランプ電圧Ｖｌａが初期電圧値ＶｌａＳよりも小さい場合、およびランプ電圧Ｖｌａが上限電圧値ＶｌａＵよりも大きい場合の制御は、定電力制御でなくてもよい。すなわち、ランプ電圧Ｖｌａが初期電圧値ＶｌａＳよりも小さい場合、およびランプ電圧Ｖｌａが上限電圧値ＶｌａＵよりも大きい場合において、制御部４０は、駆動電力Ｗｄを変化させてもよい。
【０２０２】
また、初期電圧値ＶｌａＳは、例えば、放電灯９０の個体差によらず予め設定された値であってもよい。この場合、例えば、放電灯９０を初めて点灯した際に、ランプ電圧Ｖｌａの値が初期電圧値ＶｌａＳよりも小さい場合がある。そのため、制御部４０は、放電灯９０が初めて点灯された際に、第１定電力制御ＣＰＣ１を行う。
【０２０３】
＜第２実施形態＞
第２実施形態は、第１実施形態に対して、定電力制御と定電流制御とが切り換えられるタイミングが異なる。図１７は、本実施形態におけるランプ電圧Ｖｌａに対する駆動電力Ｗｄの変化を示すグラフである。図１７において、縦軸は駆動電力Ｗｄを示しており、横軸はランプ電圧Ｖｌａを示している。
【０２０４】
本実施形態において制御部４０は、第１定電力制御ＣＰＣ１と、第２定電流制御（第１制御）ＣＣＣ２と、を実行可能である。図１７に示すように、第２定電流制御ＣＣＣ２は、第１定電流制御ＣＣＣ１と同様に、放電灯９０に供給される駆動電力Ｗｄがランプ電圧Ｖｌａの増加に応じて増加する制御である。また、第２定電流制御ＣＣＣ２は、第１定電流制御ＣＣＣ１と同様に、機械学習に基づいて駆動パターンＤＷが選択・実行される制御である。第２定電流制御ＣＣＣ２において放電灯９０に供給される駆動電流Ｉは、一定である。第２定電流制御ＣＣＣ２において、駆動電力Ｗｄは、ランプ電圧Ｖｌａに対して線形に変化する。
【０２０５】
本実施形態において制御部４０は、ランプ電圧Ｖｌａが末期電圧値（第１電圧値）ＶｌａＥ以上で、かつ、末期電圧値ＶｌａＥよりも大きい限界電圧値（第２電圧値）ＶｌａＺ以下の場合、第２定電流制御ＣＣＣ２を実行する。末期電圧値ＶｌａＥは、放電灯９０の末期におけるランプ電圧Ｖｌａの値であり、放電灯９０の初期におけるランプ電圧Ｖｌａの値（初期電圧値ＶｌａＳ）よりも大きい値である。末期電圧値ＶｌａＥは、例えば、９０Ｖである。限界電圧値ＶｌａＺは、放電灯９０が寿命を迎えるまでの間におけるランプ電圧Ｖｌａの最大値である。限界電圧値ＶｌａＺは、例えば、放電灯９０が寿命を迎えたとき、すなわち照度維持率Ｌｒが限界値Ｌｒｍｉｎとなったときのランプ電圧Ｖｌａの値である。
【０２０６】
本実施形態の第２定電流制御ＣＣＣ２において駆動電力Ｗｄの値は、ランプ電圧Ｖｌａが末期電圧値ＶｌａＥである場合、低電力値ＷｄＬであり、ランプ電圧Ｖｌａが限界電圧値ＶｌａＺである場合、定格電力値ＷｄＨである。
【０２０７】
制御部４０は、ランプ電圧Ｖｌａが末期電圧値ＶｌａＥよりも小さい場合、第１定電力制御ＣＰＣ１を実行する。すなわち、本実施形態では、初めて放電灯９０を点灯させた際には、まず初めに第１定電力制御ＣＰＣ１が実行される。
【０２０８】
以上のように、本実施形態においては、放電灯９０を初めて点灯してからランプ電圧Ｖｌａが末期電圧値ＶｌａＥに到達するまでの間において第１定電力制御ＣＰＣ１が実行され、ランプ電圧Ｖｌａが末期電圧値ＶｌａＥ以上となってから放電灯９０が寿命を迎えるまでの間において第２定電流制御ＣＣＣ２が実行される。
【０２０９】
図１８は、本実施形態における累積点灯時間ＴＴと照度維持率Ｌｒとの関係を示すグラフである。図１８において、縦軸は照度維持率Ｌｒ［％］を示しており、横軸は累積点灯時間ＴＴを示している。図１８に示す実線は、本実施形態における駆動電力Ｗｄを変化させる各制御の切り換えを行った場合の照度維持率Ｌｒの変化を示す。図１８に示す二点鎖線は、駆動電力Ｗｄを変化させずに、駆動電力Ｗｄを低電力値ＷｄＬに一定に維持し続けた場合の照度維持率Ｌｒの変化を示す。図１８の例では、累積点灯時間ＴＴが、値ＴＴｅとなったときに、ランプ電圧Ｖｌａが末期電圧値ＶｌａＥとなる。
【０２１０】
本実施形態によれば、末期電圧値ＶｌａＥは、放電灯９０の初期におけるランプ電圧Ｖｌａの値よりも大きい値であり、ランプ電圧Ｖｌａが末期電圧値ＶｌａＥ以上の場合に第２定電流制御ＣＣＣ２が実行される。そのため、放電灯９０の末期において放電灯９０に供給される駆動電力Ｗｄを大きくできる。これにより、図１８に示すように、累積点灯時間ＴＴが値ＴＴｅとなった後、すなわちランプ電圧Ｖｌａが末期電圧値ＶｌａＥとなった後において、照度維持率Ｌｒの低下の度合いを、駆動電力Ｗｄを低電力値ＷｄＬに維持し続ける場合に比べて小さくできる。すなわち、放電灯９０の使用者に対し、放電灯９０の末期において放電灯９０の照度低下を認識し難くすることができる。したがって、放電灯９０の末期において、放電灯９０の照度を比較的維持することができ、使用者の快適性を向上できる。また、放電灯９０の末期において照度をある程度維持できるため、照度維持率Ｌｒが限界値Ｌｒｍｉｎに到達するまでの時間を長くできる。すなわち、放電灯９０の寿命を向上できる。図１８の例では、駆動電力Ｗｄを低電力値ＷｄＬに一定に維持し続ける制御では、累積点灯時間ＴＴが値ＴＴ２となったときに照度維持率Ｌｒが限界値Ｌｒｍｉｎに到達する一方で、本実施形態における駆動電力Ｗｄを変化させる各制御の切り換えを行った制御では、累積点灯時間ＴＴが、値ＴＴ２よりも大きい値ＴＴ３になったときに照度維持率Ｌｒが限界値Ｌｒｍｉｎに到達する。
【０２１１】
以上の第１実施形態および第２実施形態において示したように、制御部４０は、ランプ電圧Ｖｌａの値がある範囲内にある場合に、駆動電力Ｗｄがランプ電圧Ｖｌａの増加に応じて増加する第１制御を実行するならば、駆動電力Ｗｄを変化させる各制御としてどのような制御を行ってもよい。例えば、第１制御以外の制御では、機械学習において各駆動パターンＤＷの駆動パラメーターが駆動電力Ｗｄを含んでもよい。この場合、駆動パターンＤＷが変化することで、ランプ電圧Ｖｌａの値によらず駆動電力Ｗｄが変化する。
【０２１２】
＜第３実施形態＞
第３実施形態は、第２実施形態に対して、突起５５２ｐ，５６２ｐの移動に基づいて駆動電力Ｗｄを変化させる点が異なる。図１９は、本実施形態における液晶ライトバルブ３３０を光が入射する側から視た図である。液晶ライトバルブ３３０は、入射側偏光板３３１（偏光素子）と、保持フレーム３３３と、を備える。入射側偏光板３３１は、第１実施形態の入射側偏光板３３１Ｒ，３３１Ｇ，３３１Ｂと同様である。保持フレーム３３３は、入射側偏光板３３１を囲んで保持する。保持フレーム３３３は、矩形枠状である。
【０２１３】
本実施形態においてプロジェクターは、一対の第１温度センサー８１１，８１２と、一対の第２温度センサー８２１，８２２と、を備える。第１温度センサー８１１，８１２および第２温度センサー８２１，８２２は、温度を検出可能である。第１温度センサー（第１検出部）８１１および第１温度センサー（第２検出部）８１２は、放電灯９０から射出され入射側偏光板３３１に入射する光の光軸ＡＸを、光軸ＡＸと直交する一方向（図１９の上下方向）に挟んで配置されている。第２温度センサー（第１検出部）８２１および第２温度センサー（第２検出部）８２２は、放電灯９０から射出され入射側偏光板３３１に入射する光の光軸ＡＸを、光軸ＡＸと直交する一方向（図１９の左右方向）に挟んで配置されている。一対の第１温度センサー８１１，８１２が光軸ＡＸを挟む方向と、一対の第２温度センサー８２１，８２２が光軸ＡＸを挟む方向とは、互いに直交している。
【０２１４】
第１温度センサー８１１，８１２および第２温度センサー８２１，８２２は、保持フレーム３３３に配置されている。より詳細には、第１温度センサー８１１，８１２および第２温度センサー８２１，８２２は、保持フレーム３３３において入射側偏光板３３１に光入射側と同じ側に固定されている。
【０２１５】
各温度センサーが固定された保持フレーム３３３には、液晶ライトバルブ３３０に対して照射される光の一部が照射される。各温度センサーによって温度を検出することで、光軸ＡＸのずれを検出でき、放電灯９０における突起５５２ｐ，５６２ｐの移動を検出することができる。以下、詳細に説明する。
【０２１６】
図２０は、突起５５２ｐ，５６２ｐの移動の例を示す図である。図２０における上下方向は、図１９における上下方向と同じ方向であり、かつ、上下関係も同じであるとする。例えば、突起５５２ｐ，５６２ｐが図２０において実線で示す位置にある場合に、入射側偏光板３３１の中心を光の光軸ＡＸが通るとする。このときの突起５５２ｐ，５６２ｐの位置（図２０において実線で示す位置）が正常な位置であるとする。
【０２１７】
ここで、突起５５２ｐ，５６２ｐが図２０において二点鎖線で示す位置に移動した場合について考える。この場合、突起５５２ｐ，５６２ｐの間に生じるアーク放電の位置が図２０における上側にずれ、放電灯９０から射出される光の光軸ＡＸも上側にずれる。この場合、突起５５２ｐ，５６２ｐが図２０の実線で示す位置にある場合に比べて、光軸ＡＸの上側に配置される第１温度センサー８１１の温度が高くなり、光軸ＡＸの下側に配置される第１温度センサー８１２の温度が低くなる。そのため、第１温度センサー８１２の温度に対する第１温度センサー８１１の温度の差が大きくなったことを検出することで、突起５５２ｐ，５６２ｐが図２０において二点鎖線に示す位置に移動したことを検出できる。
【０２１８】
一方、突起５５２ｐ，５６２ｐが下側にずれた場合には、光軸ＡＸの上側に配置される第１温度センサー８１１の温度が低くなり、光軸ＡＸの下側に配置される第１温度センサー８１２の温度が高くなる。そのため、第１温度センサー８１２の温度に対する第１温度センサー８１１の温度の差が小さくなったことを検出することで、突起５５２ｐ，５６２ｐが下側に移動したことを検出できる。このようにして、本実施形態において制御部４０は、第１温度センサー８１１の検出結果と第１温度センサー８１２の検出結果とに基づいて、突起５５２ｐ，５６２ｐの移動を検出する。
【０２１９】
なお、放電灯９０から入射側偏光板３３１までの間の光学系次第では、図１９の液晶ライトバルブ３３０と、図２０の放電灯９０における突起５５２ｐ，５６２ｐとの間の上下関係が逆になる場合もある。すなわち、例えば、突起５５２ｐ，５６２ｐが図２０において二点鎖線で示す位置に移動してアーク放電の位置が上側にずれた場合、放電灯９０から射出された光が入射側偏光板３３１に導かれるまでの間で上下関係が逆となり、入射側偏光板３３１に入射する光の光軸ＡＸが下側にずれる。そのため、図１９において光軸ＡＸの上側に配置される第１温度センサー８１１の温度が低くなり、光軸ＡＸの下側に配置される第１温度センサー８１２の温度が高くなる。
【０２２０】
また、突起５５２ｐ，５６２ｐの移動が生じてアーク放電の位置が図１９および図２０における左右方向にずれた場合についても、上述した例と同様に、制御部４０は、第２温度センサー８２１の検出結果と第２温度センサー８２２の検出結果とに基づいて、突起５５２ｐ，５６２ｐの移動を検出する。
【０２２１】
なお、光軸ＡＸが入射側偏光板３３１の中心を通る場合、第２温度センサー８２１によって検出される温度は、例えば、第２温度センサー８２２によって検出される温度と同じである。そのため、第２温度センサー８２１によって検出される温度と第２温度センサー８２２によって検出される温度とが異なる温度となったことを検出した場合に、制御部４０は、突起５５２ｐ，５６２ｐの移動を検出できる。
【０２２２】
一方、光軸ＡＸが入射側偏光板３３１の中心を通る場合、第１温度センサー８１１によって検出される温度は、例えば、第１温度センサー８１２によって検出される温度よりも大きい。これは、熱せられた周囲の空気が対流によって上昇し、第１温度センサー８１１の周囲の温度が上昇しているためである。そのため、第１温度センサー８１１によって検出される温度と第１温度センサー８１２によって検出される温度との差から突起５５２ｐ，５６２ｐの移動を検出する場合には、光軸ＡＸが入射側偏光板３３１の中心を通る場合における第１温度センサー８１１，８１２によって検出される温度の差を考慮する必要がある。
【０２２３】
制御部４０は、上述したようにして各温度センサーによって突起５５２ｐ，５６２ｐの移動が検出された場合に、駆動電力Ｗｄを増加させる。具体的に、制御部４０は、突起５５２ｐ，５６２ｐの移動が検出された場合、例えば、図１７において一点鎖線で示すように駆動電力Ｗｄを変化させる。図１７の例では、第１定電力制御ＣＰＣ１において突起５５２ｐ，５６２ｐの移動が検出された場合、制御部４０は、駆動電力Ｗｄを低電力値ＷｄＬよりも大きい高電力値ＷｄＵに増加させる。突起５５２ｐ，５６２ｐの位置が元の位置（図２０において実線で示す位置）に戻った場合、すなわち、制御部４０が各温度センサーの検出結果に基づいて突起５５２ｐ，５６２ｐの移動が解消されたことを検出した場合、制御部４０は、駆動電力Ｗｄを減少させて元の値（低電力値ＷｄＬ）に戻す。
【０２２４】
例えば、突起５５２ｐ，５６２ｐの移動が生じると、突起５５２ｐ，５６２ｐの損耗が小さいにも関わらず、第１電極９２と第２電極９３との電極間距離が広がり、ランプ電圧Ｖｌａが増加する。例えば、図２０では、実線で示す突起５５２ｐ，５６２ｐ同士の電極間距離Ｗ１に対して、二点鎖線で示す突起５５２ｐ，５６２ｐ同士の電極間距離Ｗ２の方が大きい。このように、ランプ電圧Ｖｌａが増加する要因としては、突起５５２ｐ，５６２ｐの損耗だけでなく、突起５５２ｐ，５６２ｐの移動も挙げられる。したがって、突起５５２ｐ，５６２ｐの移動が生じる場合に、単にランプ電圧Ｖｌａの変化のみに基づいて機械学習における駆動パターンＤＷの評価を行うと、駆動パターンＤＷを適切に評価できない場合がある。
【０２２５】
これに対して、本実施形態によれば、制御部４０は、突起５５２ｐ，５６２ｐの移動が検出された場合に、駆動電力Ｗｄを増加させる。これにより、第１電極９２および第２電極９３に加えられる熱負荷を大きくすることができ、突起５５２ｐ，５６２ｐの溶融範囲および溶融量を増加させることができる。したがって、溶融した突起５５２ｐ，５６２ｐが再形成される際に、突起５５２ｐ，５６２ｐを正常な位置（例えば、図２０に示す実線の位置）に戻しやすい。以上により、本実施形態によれば、突起５５２ｐ，５６２ｐの移動が生じた場合に、突起５５２ｐ，５６２ｐを元の位置に戻しやすいため、突起５５２ｐ，５６２ｐの移動に起因するランプ電圧Ｖｌａの変化を元に戻しやすい。したがって、機械学習においてランプ電圧Ｖｌａの変化のみに基づいて駆動パターンＤＷの評価を行う場合であっても、駆動パターンＤＷを適切に評価しやすい。その結果、放電灯９０の寿命をより向上できる。
【０２２６】
また、本実施形態によれば、制御部４０は、第１温度センサー８１１の検出結果と第１温度センサー８１２の検出結果とに基づいて、または、第２温度センサー８２１の検出結果と第２温度センサー８２２の検出結果とに基づいて、突起５５２ｐ，５６２ｐの移動を検出し、駆動電力Ｗｄを増加させる。具体的には、制御部４０は、第１温度センサー８１１によって検出された温度と第１温度センサー８１２によって検出された温度との差が変化した場合、または、第２温度センサー８２１によって検出された温度と第２温度センサー８２２によって検出された温度との差が変化した場合に、駆動電力Ｗｄを増加させる。そのため、突起５５２ｐ，５６２ｐの移動の検出が容易である。
【０２２７】
また、本実施形態によれば、各温度センサーは、入射側偏光板３３１を保持する保持フレーム３３３に配置される。そのため、放電灯９０から射出された光の一部が照射されやすく、放電灯９０から射出された光の光軸ＡＸのずれを検出しやすい。これにより、突起５５２ｐ，５６２ｐの移動をより検出しやすい。
【０２２８】
なお、本実施形態においては、下記の構成および方法を採用することもできる。
【０２２９】
第１検出部および第２検出部として、一対の第１温度センサー８１１，８１２の代わりに、一対の照度センサーが設けられてもよい。一対の照度センサーは、照度を検出可能である。この場合、制御部４０は、一対の照度センサーが検出する照度の変化によって、アーク放電のずれを検出し、突起５５２ｐ，５６２ｐの移動を検出する。すなわち、制御部４０は、一方の照度センサーによって検出された照度と他方の照度センサーによって検出された照度との差が変化した場合に、突起５５２ｐ，５６２ｐの移動を検出し、駆動電力Ｗｄを増加させる。これにより、上述した各温度センサーによる場合と同様に、放電灯９０の寿命をより向上できる。
【０２３０】
また、第１検出部および第２検出部として、一対の第２温度センサー８２１，８２２の代わりに、一対の照度センサーが設けられてもよい。また、第１検出部および第２検出部として、温度および照度の両方が検出可能なセンサーが設けられてもよい。また、一対の温度センサーと一対の照度センサーとは、それぞれ設けられてもよい。
【０２３１】
また、制御部４０は、第１検出部の検出結果と第２検出部の検出結果とに基づいて駆動電力Ｗｄを増加させるならば、実際には突起５５２ｐ，５６２ｐの移動を検出しなくてもよい。すなわち、例えば、実際には突起５５２ｐ，５６２ｐの移動が生じていない場合であっても、制御部４０は、第１検出部の検出結果と第２検出部の検出結果とに基づいて駆動電力Ｗｄを増加させてもよい。
【０２３２】
また、制御部４０は、ランプ電圧Ｖｌａの変化に加えて、突起５５２ｐ，５６２ｐの移動を機械学習の評価項目に加えてもよい。具体的には、移動した突起５５２ｐ，５６２ｐを元の位置に戻しやすい駆動パターンＤＷの評価を高くしてもよい。この構成によれば、突起５５２ｐ，５６２ｐの移動が生じにくい（移動しても元の位置に戻しやすい）駆動パターンＤＷが実行されやすく、突起５５２ｐ，５６２ｐの移動を抑制できる。したがって、放電灯９０の寿命をより向上できる。また、この場合において、ランプ電圧Ｖｌａについての評価と突起５５２ｐ，５６２ｐの移動についての評価とが相反する場合には、ランプ電圧Ｖｌａについての評価を優先してもよい。
【０２３３】
また、上記実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０２３４】
また、上記実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【０２３５】
また、上記説明した各構成は、相互に矛盾しない範囲内において、適宜組み合わせることができる。
【符号の説明】
【０２３６】
１０…放電灯点灯装置（放電灯駆動装置）、４０…制御部、４４…記憶部、９０…放電灯、９２…第１電極、９３…第２電極、２００…光源装置、２３０…放電灯駆動部、３３０，３３０Ｒ，３３０Ｇ，３３０Ｂ…液晶ライトバルブ、３３１，３３１Ｒ，３３１Ｇ，３３１Ｂ…入射側偏光板、３３３…保持フレーム、３５０…投射光学系、５００…プロジェクター、５０２，５１２Ｒ，５１２Ｇ，５１２Ｂ…画像信号、５５２ｐ，５６２ｐ…突起、５６０Ｒ，５６０Ｇ，５６０Ｂ…液晶パネル（光変調装置）、８１１…第１温度センサー（第１検出部）、８１２…第１温度センサー（第２検出部）、８２１…第２温度センサー（第１検出部）、８２２…第２温度センサー（第２検出部）、ＡＸ…光軸、ＣＣＣ１…第１定電流制御（第１制御）、ＣＣＣ２…第２定電流制御（第１制御）、ＣＰＣ１…第１定電力制御（第２制御）、ＣＰＣ２…第２定電力制御（第３制御）、ＤＷ…駆動パターン、Ｉ…駆動電流、Ｖｌａ…ランプ電圧（電極間電圧）、ＶｌａＥ…末期電圧値（第１電圧値）、ＶｌａＳ…初期電圧値（第１電圧値）、ＶｌａＵ…上限電圧値（第２電圧値）、ＶｌａＺ…限界電圧値（第２電圧値）、Ｗｄ…駆動電力、ＷｄＨ…定格電力値、ＷｄＬ…低電力値（所定電力値）
【図１】
2019114433.tif 000003
【図２】
2019114433.tif 000004
【図３】
2019114433.tif 000005
【図４】
2019114433.tif 000006
【図５】
2019114433.tif 000007
【図６Ａ】
2019114433.tif 000008
【図６Ｂ】
2019114433.tif 000009
【図７】
2019114433.tif 000010
【図８Ａ】
2019114433.tif 000011
【図８Ｂ】
2019114433.tif 000012
【図９】
2019114433.tif 000013
【図１０】
2019114433.tif 000014
【図１１】
2019114433.tif 000015
【図１２】
2019114433.tif 000016
【図１３】
2019114433.tif 000017
【図１４】
2019114433.tif 000018
【図１５Ａ】
2019114433.tif 000019
【図１５Ｂ】
2019114433.tif 000020
【図１６】
2019114433.tif 000021
【図１７】
2019114433.tif 000022
【図１８】
2019114433.tif 000023
【図１９】
2019114433.tif 000024
【図２０】
2019114433.tif 000025